(57)【特許請求の範囲】
【請求項１】
弁ケースの一端側外周に電磁コイルが外嵌固定されるとともに、一端側から順次、永久磁石、吸引子、圧縮コイルばねからなる第１ばね、第１プランジャ、圧縮コイルばねからなる第２ばね、及び、第２プランジャが直列的に配在され、前記第２プランジャより他端側に、該第２プランジャの他端側への移動を阻止するストッパ及び主ポートが設けられるとともに、その弁シート面に３個以上のポートが横並びに開口せしめられた弁座が設けられ、
前記弁座の弁シート面には、前記ポートの開閉及び／又はポート間の連通遮断を行うべく、前記第１プランジャに押し引きされる第１弁体又は第２弁体と前記第２プランジャに押し引きされる第２弁体又は第１弁体とが横並びに配在されて摺動自在に対接せしめられ、
前記電磁コイルへの印加電圧に応じて、前記第１及び第２プランジャがそれぞれ異なる非吸引位置と吸引位置とをとるとともに、前記第１及び第２弁体が前記第１及び第２プランジャに連動してそれぞれ異なる前進位置と後退位置とをとるようにされ、前記第１及び第２弁体の位置の組み合わせにより、全体では合計で、３ポジション間での切り換えが可能とされた直動式電磁弁。
【請求項２】
前記電磁コイルへの通電がオフのときには、前記第１ばね及び前記第２ばねの付勢力により、前記第１プランジャが前記吸引子と前記第２プランジャとの中間の非吸引位置をとるとともに、前記第２プランジャが前記ストッパに接当係止された非吸引位置をとり、
この状態において、前記電磁コイルに電圧を印加すると、前記第１プランジャが前記第１ばねの付勢力に抗して前記吸引子に引き寄せられた吸引位置をとるが、前記第２プランジャは前記ストッパに接当係止された非吸引位置をとったままとなり、
この状態において、前記電磁コイルへの通電をオフにすると、前記永久磁石の磁力により前記第１プランジャは前記吸引位置で保持されたままとなるとともに、前記第２プランジャも前記非吸引位置をとったままとなり、
該通電オフ時において、前記電磁コイルに極性を反転させた電圧を印加すると、前記永久磁石の磁力により前記吸引位置で保持されていた前記第１プランジャが前記第１ばねの付勢力により前記非吸引位置に戻るとともに、前記第２プランジャは前記非吸引位置をとったままとなるようにされていることを特徴とする請求項１に記載の直動式電磁弁。
【請求項３】
前記永久磁石の磁力により前記第１プランジャが前記吸引位置で保持されたままとなるとともに、前記第２プランジャも前記非吸引位置をとったままの状態において、前記電磁コイルに前記電圧より高い電圧を印加すると、前記第１プランジャが前記吸引位置で保持されたままで、前記第２プランジャが前記第２ばねの付勢力に抗して前記第１プランジャ側に引き寄せられた吸引位置をとり、その後、前記電磁コイルへの通電をオフにすると、前記永久磁石の磁力により前記第１プランジャは前記吸引位置で保持されたままとなるとともに、前記第２プランジャは前記第２ばねの付勢力により前記非吸引位置に戻されるようにされていることを特徴とする請求項２に記載の直動式電磁弁。
【請求項４】
前記第１プランジャが前記非吸引位置をとるとともに、前記第２プランジャも前記非吸引位置をとっている状態において、前記電磁コイルに前記電圧より高い電圧を印加すると、前記第１プランジャが前記第１ばねの付勢力に抗して前記吸引子に引き寄せられた吸引位置をとるとともに、前記第２プランジャが前記第２ばねの付勢力に抗して前記第１プランジャ側に引き寄せられた吸引位置をとり、この状態において、前記電磁コイルに極性を反転させた電圧を印加すると、前記第１プランジャが前記第１ばねの付勢力により前記非吸引位置に戻るとともに、前記第２プランジャも前記第２ばねの付勢力により前記非吸引位置に戻るようにされていることを特徴とする請求項２に記載の直動式電磁弁。
【請求項５】
前記第１プランジャには、前記第２プランジャにその一端側が摺動自在に嵌挿された第１弁体ホルダの一端部が連結固定され、該第１弁体ホルダの他端側に、前記第１弁体が前記第１プランジャに押し引きされて前記前進位置と前記後退位置とをとるように連結、嵌合、もしくは係合せしめられていることを特徴とする請求項１から４のいずれか一項に記載の直動式電磁弁。
【請求項６】
前記第２プランジャには、その他端部が前記第１弁体ホルダの他端部より他端側に位置する第２弁体ホルダの一端部が連結固定され、該第２弁体ホルダの他端側に、前記第２弁体が前記第２プランジャに押し引きされて前記前進位置と前記後退位置とをとるように連結、嵌合、もしくは係合せしめられていることを特徴とする請求項５に記載の直動式電磁弁。
【請求項７】
前記第１プランジャと前記第２プランジャとが直接接触することを阻止すべく、それらの間に非磁性材料からなる接触阻止部材が介装されていることを特徴とする請求項１から６のいずれか一項に記載の直動式電磁弁。
【請求項８】
前記第２ばねのばね力が、前記第１ばねのばね力より大きいことを特徴とする請求項１から７のいずれか一項に記載の直動式電磁弁。
【請求項９】
前記直動式電磁弁の弁シート面には、一端側から順次、第１ポート、第２ポート、第３ポート、第４ポート、及び第５ポートが横並びに開口せしめられ、前記第１弁体及び前記第２弁体には、隣り合う前記ポート間を連通させるための凹部が設けられていることを特徴とする請求項１から８のいずれか一項に記載の直動式電磁弁。
【請求項１０】
前記第１プランジャが前記非吸引位置をとると、前記第１弁体が前記前進位置をとって、前記第２ポートと前記第３ポートとを連通させ、
前記第１プランジャが前記吸引位置をとると、前記第１弁体が前記後退位置をとって、前記第１ポートと前記第２ポートとを連通させ、
前記第２プランジャが前記非吸引位置をとると、前記第２弁体が前記前進位置をとって、前記第４ポートと前記第５ポートとを連通させ、
前記第２プランジャが前記吸引位置をとると、前記第２弁体が前記後退位置をとって、前記第３ポートと前記第４ポートとを連通させるように構成されていることを特徴とする請求項９に記載の直動式電磁弁。
【請求項１１】
前記直動式電磁弁の弁シート面には、一端側から順次、前記第１弁体及び前記第２弁体に開閉せしめられる、第１ポート、第２ポート、及び第３ポートが横並びに開口せしめられていることを特徴とする請求項１から８のいずれか一項に記載の直動式電磁弁。
【請求項１２】
前記第１プランジャが前記非吸引位置をとるときは、前記第１弁体が前記前進位置をとって、前記第２ポートを閉じ、
前記第１プランジャが前記吸引位置をとるときは、前記第１弁体が前記後退位置をとって、前記第１ポートを閉じ、
前記第２プランジャが前記非吸引位置をとるときは、前記第２弁体が前記前進位置をとって、前記第３ポートを閉じ、
前記第２プランジャが前記吸引位置をとるときは、前記第２弁体が前記後退位置をとって、前記第２ポートを閉じるように構成されていることを特徴とする請求項１１に記載の直動式電磁弁。
【請求項１３】
前記電磁コイルへの通電がオフのときには、前記第１ばね及び前記第２ばねの付勢力により、前記第１プランジャが該第１プランジャの他端側への移動を阻止する別途のストッパに接当係止されて前記吸引子と前記第２プランジャとの中間の非吸引位置をとるとともに、前記第２プランジャが前記ストッパに接当係止された非吸引位置をとり、
この状態において、前記電磁コイルに電圧を印加すると、前記第１プランジャが前記別途のストッパに接当係止された非吸引位置をとったままで、前記第２プランジャが前記第２ばねの付勢力に抗して前記第１プランジャ側に引き寄せられた第１吸引位置をとり、
この状態において、前記電磁コイルに前記電圧より高い電圧を印加すると、前記第１プランジャが前記第１ばねの付勢力に抗して前記吸引子に引き寄せられた吸引位置をとるとともに、前記第２プランジャが前記第１吸引位置より前記吸引子側の第２吸引位置をとり、
この状態において、前記電磁コイルへの通電をオフにすると、前記永久磁石の磁力により前記第１プランジャは前記吸引位置で保持されたままとなるとともに、前記第２プランジャも前記第２吸引位置で保持されたままとなるようにされていることを特徴とする請求項１に記載の直動式電磁弁。
【請求項１４】
前記永久磁石の磁力により前記第１プランジャが前記吸引位置で保持されたまま、かつ、前記第２プランジャも前記第２吸引位置で保持されたままの状態において、前記電磁コイルに極性を反転させた電圧を印加すると、前記永久磁石の磁力が相殺されて、前記第１プランジャが前記第１ばねの付勢力により前記非吸引位置に戻されるとともに、前記第２プランジャが前記第２ばねの付勢力により前記非吸引位置に戻されるようにされていることを特徴とする請求項１３に記載の直動式電磁弁。
【請求項１５】
前記第１プランジャが前記非吸引位置をとるとともに、前記第２プランジャも前記非吸引位置をとっている状態において、前記電磁コイルに前記電圧より高い電圧を印加すると、前記第１プランジャが前記第１ばねの付勢力に抗して前記吸引子に引き寄せられた吸引位置をとるとともに、前記第２プランジャが前記第２ばねの付勢力に抗して前記第１プランジャ側に引き寄せられた第２吸引位置をとり、この状態において、前記電磁コイルに極性を反転させた電圧を印加すると、前記第１プランジャが前記第１ばねの付勢力により前記非吸引位置に戻されるとともに、前記第２プランジャも前記第２ばねの付勢力により前記非吸引位置に戻されるようにされていることを特徴とする請求項１３に記載の直動式電磁弁。
【請求項１６】
前記第１プランジャには、前記第２プランジャにその一端側が摺動自在に嵌挿された第１弁体ホルダの一端部が連結固定され、該第１弁体ホルダの他端側に、前記第２弁体が前記第１プランジャに押し引きされて前記前進位置と前記後退位置とをとるように連結、嵌合、もしくは係合せしめられていることを特徴とする請求項１又は１３から１５のいずれか一項に記載の直動式電磁弁。
【請求項１７】
前記第２プランジャには、その他端部が前記第１弁体ホルダの他端部より一端側に位置する第２弁体ホルダの一端部が連結固定され、該第２弁体ホルダの他端側に、前記第１弁体が前記第２プランジャに押し引きされて前記前進位置と前記後退位置とをとるように連結、嵌合、もしくは係合せしめられていることを特徴とする請求項１６に記載の直動式電磁弁。
【請求項１８】
前記第１プランジャと前記第２プランジャとが直接接触するようにされていることを特徴とする請求項１又は１３から１７のいずれか一項に記載の直動式電磁弁。
【請求項１９】
前記第２ばねのばね力が、前記第１ばねのばね力より小さいことを特徴とする請求項１又は１３から１８のいずれか一項に記載の直動式電磁弁。
【請求項２０】
前記直動式電磁弁の弁シート面には、一端側から順次、前記第１弁体及び前記第２弁体に開閉せしめられる、第１ポート、第２ポート、及び第３ポートが横並びに開口せしめられていることを特徴とする請求項１３から１９のいずれか一項に記載の直動式電磁弁。
【請求項２１】
前記直動式電磁弁の弁シート面には、一端側から順次、前記第１弁体及び前記第２弁体に開閉せしめられる、第１ポート、第２ポート、及び第３ポートが横並びに開口せしめられ、
前記第２プランジャが前記非吸引位置をとるときは、前記第１弁体が前記前進位置をとって、前記第２ポートを閉じ、
前記第２プランジャが前記第１吸引位置及び前記第２吸引位置をとるときは、前記第１弁体が前記後退位置をとって、前記第１ポートを閉じ、
前記第１プランジャが前記非吸引位置をとるときは、前記第２弁体が前記前進位置をとって、前記第３ポートを閉じ、
前記第１プランジャが前記吸引位置をとるときは、前記第２弁体が前記後退位置をとって、前記第２ポートを閉じるように構成されていることを特徴とする請求項１３から１５のいずれか一項に記載の直動式電磁弁。
【請求項２２】
圧縮機、室外熱交換器、室内熱交換器、膨張弁、及び四方切換弁を具備して構成される冷凍サイクルに、除霜用開閉弁を有するデフロスト回路が組み込まれているヒートポンプ式冷暖房システムに使用される五方切換弁であって、
請求項１から８のいずれか一項又は請求項１０に記載の直動式電磁弁をパイロット弁として備えるとともに、シリンダ型の五方弁本体を備え、
該五方弁本体には、３個のピストンが内蔵され、該３個のピストンにより主弁室と３つの作動室が画成されるとともに、前記主弁室に、前記四方切換弁の本体部と前記除霜用開閉弁の本体部とが設けられ、
前記直動式電磁弁に前記３ポジションのうちのいずれかを選択的にとらせて前記３つの作動室への高圧冷媒の導入・排出を制御することにより、前記冷暖房システムにおいて冷房運転、暖房運転、及び暖房運転時における前記室外熱交換器の除霜を行うようにされていることを特徴とする五方切換弁。
【請求項２３】
前記五方弁本体に、一端側から順次、第１作動室、第１ピストン、前記主弁室、第２ピストン、第２作動室、第３ピストン、及び第３作動室が配在され、前記主弁室に、前記圧縮機の吐出側に接続される吐出側高圧ポートが設けられるとともに、その上面が弁シート面とされた、前記四方切換弁の主弁座と前記除霜用開閉弁の除霜用弁座が設けられ、前記主弁座の弁シート面には、一端側から順次、前記室外熱交換器に接続される室外側入出ポート、前記圧縮機の吸入側に接続される吸入側低圧ポート、及び前記室内熱交換器に接続される室内側入出ポートが開口せしめられるとともに、前記除霜用弁座の弁シート面には、前記室外熱交換器における前記膨張弁側の入出口に接続される除霜用ポートが開口せしめられていることを特徴とする請求項２２に記載の五方切換弁。
【請求項２４】
前記主弁座の弁シート面には、前記室外側入出ポートを開きかつ前記吸入側低圧ポートと前記室内側入出ポートとを連通させる冷房運転位置と、前記室内側入出ポートを開きかつ前記吸入側低圧ポートと前記室外側入出ポートとを連通させる暖房運転位置とを選択的にとり得る断面逆立椀形状の主弁体が摺動自在に対接せしめられるとともに、前記除霜用弁座の弁シート面には、前記除霜用ポートを開閉すべく除霜用弁体が摺動自在に対接せしめられていることを特徴とする請求項２３に記載の五方切換弁。
【請求項２５】
前記第１ピストンと前記第２ピストンとは、主連結体により一体移動可能に連結され、前記主連結体に、前記主弁体が前記第１及び第２ピストンの往復移動に伴って前記冷房運転位置と前記暖房運転位置との間を行き来するように連結、嵌合、もしくは係合せしめられていることを特徴とする請求項２４に記載の五方切換弁。
【請求項２６】
前記第３ピストンには、前記第２ピストンにその一端側が摺動自在に刺し通された除霜用連結体の他端部が連結され、該除霜用連結体の一端側に、前記除霜用弁体が前記第３ピストンの往復移動に伴って前記除霜用ポートを閉じる位置と開く位置との間を行き来するように連結、嵌合、もしくは係合せしめられていることを特徴とする請求項２４又は２５に記載の五方切換弁。
【請求項２７】
前記五方弁本体の一端に、前記第１ピストンの一方向への移動を阻止するストッパを兼ねる一端側蓋部材が固着され、前記五方弁本体の他端に、前記第３ピストンの他方向への移動を阻止するストッパを兼ねる他端側蓋部材が固着され、前記除霜用連結体の中間部には、前記第２ピストンにおける前記第２作動室側の面に接当する係止部が設けられていることを特徴とする請求項２６に記載の五方切換弁。
【発明の詳細な説明】
【技術分野】
【０００１】
本発明は、４ポート以上の多方切換弁として、あるいは、パイロット弁として好適な直動式電磁弁に係り、特に、少なくとも３ポジション間での切り換えが可能とされた直動式電磁弁、及びそれをパイロット弁として備えた五方切換弁に関する。
【背景技術】
【０００２】
一般的な直動式電磁弁は、弁ケースの一端側外周に電磁コイルが外嵌固定されるとともに、その弁ケースに一端側から順次、吸引子、ばね、プランジャが内装され、プランジャにはポートを開閉するための弁体が連結され、電磁コイルへの通電（電圧印加）をＯＮすると、吸引子とプランジャとの間に磁気吸引力が発生し、プランジャが吸引子に引き寄せられて吸引位置をとり、電磁コイルへの通電をＯＦＦにすると、プランジャがばねの付勢力により吸引子から遠ざけられた非吸引位置をとり、それに伴い、前記弁体が２つの位置をとる２ポジション切換弁となっている。
【０００３】
このような２ポジション切換弁としての直動式電磁弁は様々な分野で使用されているが、ここでは、圧縮機、室外熱交換器、室内熱交換器、膨張弁、及び四方切換弁を具備して構成される冷凍サイクルに、除霜用開閉弁を有するデフロスト回路が組み込まれているヒートポンプ式冷暖房システムに使用される五方切換弁に、パイロット弁として用いられた例を挙げる。
【０００４】
上記のような冷暖房システムにおいて、前記四方切換弁と除霜用開閉弁とを一纏めにした五方切換弁を用いることが知られている（例えば、特許文献１、２等参照）。
【０００５】
特許文献１に所載の五方切換弁は、シリンダ型の筒状体（五方弁本体と称する）の左右に、それぞれピストンが配在され、該左右のピストン間に圧縮機から高温高圧の冷媒が導入される主弁室（高圧室）が形成されるとともに、前記左右のピストンの左右にそれぞれ作動室が画成され、該左右の作動室に、それぞれ前記ピストンを中央に向けて付勢する圧縮コイルばねが縮装されている。そして、前記主弁室には、前記四方切換弁（の本体部）と前記除霜用開閉弁（の本体部）とが設けられ、一方のピストンで前記四方切換弁の主弁体を主弁座上でスライドさせて流路の切り換え（冷房→暖房、暖房→冷房）を行い、他方のピストンで前記除霜用開閉弁を開閉するようにされており、前記左右の作動室への高圧冷媒の導入・排出（各作動室の圧力）をそれぞれ前記した直動式電磁弁（三方弁）を用いて制御することで、前記冷暖房システムにおいて冷房運転、暖房運転、及び暖房運転時における前記室外熱交換器の除霜を行うようになっている。
【０００６】
一方、特許文献２に所載の五方切換弁は、上記と類似する構成のシリンダ型の五方弁本体を備えているが、左右の作動室には、主弁体側のピストンに設けられた均圧孔（及び細管）を介して主弁室から高圧が導入されるようになっており、２つの作動室の圧力制御を単一の電磁弁で行うようになっている。
【先行技術文献】
【特許文献】
【０００７】
【特許文献１】特開平１１−３２５６３３号公報
【特許文献２】特公平６−３３９２１号公報
【発明の概要】
【発明が解決しようとする課題】
【０００８】
前記したように、通常、直動式電磁弁は、プランジャが吸引子から遠ざけられた非吸引位置（通電ＯＦＦ）と吸引子に引き寄せられた吸引位置（通電ＯＮ）とをとり、それに伴い弁体が２つの位置（前進位置と後退位置と称する）をとる２ポジション切換弁となっているので、前記特許文献１に所載の五方切換弁では、四方切換弁による流路切換用と除霜用開閉弁の開閉用との、合計２個の直動式電磁弁が必要となる。そのため、配管や制御系（の配線）等を含めた五方切換弁全体の構成が複雑なものとなるとともに、実質的な占有スペースが大きくなり、設置面やコスト面で問題がある。
【０００９】
また、前記特許文献２に所載の五方切換弁では、その構造上、除霜時に、主弁室の高圧冷媒が前記均圧孔と作動室を介して圧縮機の吸入側に流出する高圧冷媒漏れが発生し、冷暖房システムの効率が低下してしまうという問題があるとともに、暖房運転から冷房運転への移行を、主弁室と作動室とを均圧した後でないと行えないとう制約もある。
【００１０】
本発明は、上記事情に鑑みてなされたもので、その目的とするところは、４ポート以上の多方切換弁として、あるいは、パイロット弁として使用することのできる、少なくとも３ポジション間での切り換えが可能とされた直動式電磁弁、並びに、それをパイロット弁として備えた五方切換弁を提供することにある。
【課題を解決するための手段】
【００１３】
前記の目的を達成すべく、本発明に係る直動式電磁弁は、弁ケースの一端側外周に電磁コイルが外嵌固定されるとともに、一端側から順次、永久磁石、吸引子、圧縮コイルばねからなる第１ばね、第１プランジャ、圧縮コイルばねからなる第２ばね、及び、第２プランジャが直列的に配在され、前記第２プランジャより他端側に、該第２プランジャの他端側への移動を阻止するストッパ及び主ポートが設けられるとともに、その弁シート面に３個以上のポートが横並びに開口せしめられた弁座が設けられ、前記弁座の弁シート面には、前記ポートの開閉及び／又はポート間の連通遮断を行うべく、前記第１プランジャに押し引きされる第１弁体と前記第２プランジャに押し引きされる第２弁体とが横並びに配在されて摺動自在に対接せしめられ、前記電磁コイルへの印加電圧に応じて、前記第１及び第２プランジャがそれぞれ異なる非吸引位置と吸引位置とをとるとともに、前記第１及び第２弁体が前記第１及び第２プランジャに連動してそれぞれ異なる前進位置と後退位置とをとるようにされ、前記第１及び第２弁体の位置の組み合わせにより、全体では合計で、３ポジション間での切り換えが可能とされていることを特徴としている。
【００１４】
この場合、好ましい態様では、前記電磁コイルへの通電がオフのときには、前記第１ばね及び前記第２ばねの付勢力により、前記第１プランジャが前記吸引子と前記第２プランジャとの中間の非吸引位置をとるとともに、前記第２プランジャが前記ストッパに接当係止された非吸引位置をとり、この状態において、前記電磁コイルに電圧を印加すると、前記第１プランジャが前記第１ばねの付勢力に抗して前記吸引子に引き寄せられた吸引位置をとるが、前記第２プランジャは前記ストッパに接当係止された非吸引位置をとったままとなり、この状態において、前記電磁コイルへの通電をオフにすると、前記永久磁石の磁力により前記第１プランジャは前記吸引位置で保持されたままとなるとともに、前記第２プランジャも前記非吸引位置をとったままとなり、該通電オフ時において、前記電磁コイルに極性を反転させた電圧を印加すると、前記永久磁石の磁力により前記吸引位置で保持されていた前記第１プランジャが前記第１ばねの付勢力により前記非吸引位置に戻るとともに、前記第２プランジャは前記非吸引位置をとったままとなるようにされる。
【００１５】
他の好ましい態様では、前記永久磁石の磁力により前記第１プランジャが前記吸引位置で保持されたままとなるとともに、前記第２プランジャも前記非吸引位置をとったままの状態において、前記電磁コイルに前記電圧より高い電圧を印加すると、前記第１プランジャが前記吸引位置で保持されたままで、前記第２プランジャが前記第２ばねの付勢力に抗して前記第１プランジャ側に引き寄せられた吸引位置をとり、その後、前記電磁コイルへの通電をオフにすると、前記永久磁石の磁力により前記第１プランジャは前記吸引位置で保持されたままとなるとともに、前記第２プランジャは前記第２ばねの付勢力により前記非吸引位置に戻されるようにされる。
【００１６】
一方、本発明に係る五方切換弁は、圧縮機、室外熱交換器、室内熱交換器、膨張弁、及び四方切換弁を具備して構成される冷凍サイクルに、除霜用開閉弁を有するデフロスト回路が組み込まれているヒートポンプ式冷暖房システムに使用されるもので、上記した如くの直動式電磁弁をパイロット弁として備えるとともに、シリンダ型の五方弁本体を備え、該五方弁本体には、３個のピストンが内蔵され、該３個のピストンにより主弁室と３つの作動室が画成されるとともに、前記主弁室に、前記四方切換弁の本体部と前記除霜用開閉弁の本体部とが設けられ、前記直動式電磁弁に前記３ポジションのうちのいずれかを選択的にとらせて前記３つの作動室への高圧冷媒の導入・排出を制御することにより、前記冷暖房システムにおいて冷房運転、暖房運転、及び暖房運転時における前記室外熱交換器の除霜を行うようにされていることを特徴としている。
【００１７】
好ましい態様では、前記五方弁本体に、一端側から順次、第１作動室、第１ピストン、前記主弁室、第２ピストン、第２作動室、第３ピストン、及び第３作動室が配在され、前記主弁室に、前記圧縮機の吐出側に接続される吐出側高圧ポートが設けられるとともに、その上面が弁シート面とされた、前記四方切換弁の主弁座と前記除霜用開閉弁の除霜用弁座が設けられ、前記主弁座の弁シート面には、一端側から順次、前記室外熱交換器に接続される室外側入出ポート、前記圧縮機の吸入側に接続される吸入側低圧ポート、及び前記室内熱交換器に接続される室内側入出ポートが開口せしめられるとともに、前記除霜用弁座の弁シート面には、前記室外熱交換器における前記膨張弁側の入出口に接続される除霜用ポートが開口せしめられる。
【００１８】
他の好ましい態様では、前記主弁座の弁シート面には、前記室外側入出ポートを開きかつ前記吸入側低圧ポートと前記室内側入出ポートとを連通させる冷房運転位置と、前記室内側入出ポートを開きかつ前記吸入側低圧ポートと前記室外側入出ポートとを連通させる暖房運転位置とを選択的にとり得る断面逆立椀形状の主弁体が摺動自在に対接せしめられるとともに、前記除霜用弁座の弁シート面には、前記除霜用ポートを開閉すべく除霜用弁体が摺動自在に対接せしめられる。
【発明の効果】
【００１９】
本発明に係る直動式電磁弁は、複数個のプランジャが直列的に配在され、電磁コイルへの印加電圧に応じて、その複数個のプランジャがそれぞれ異なる吸引位置と非吸引位置とをとるようにされるので、それに伴い、複数個の弁体もそれぞれ異なる前進位置と後退位置とをとるようにされ、各弁体の位置の組み合わせにより、全体では合計で少なくとも３ポジション間での切り換えが可能とされる。
【００２０】
このように３以上のポジション間で切り換えを行うことができるので、従来、パイロット弁としての直動式電磁弁を２個必要としていた、例えば、ヒートポンプ式冷暖房システムに使用されるパイロット式五方切換弁において、パイロット弁が本発明に係る直動式電磁弁一つのみで足りることになるため、比較的シンプルな構成のもとで、冷房運転、暖房運転、及び暖房運転時における室外熱交換器の除霜を行うことができ、そのため、設置コストや部品コストを低く抑えることができる。
【００２１】
さらに、直動式電磁弁に永久磁石を付設して自己保持タイプの電磁弁とすることにより、ポジション切換後に通電ＯＦＦすることが可能となり、省エネ化が図られる。
【００２２】
また、本発明に係る直動式電磁弁は、パイロット弁ではなく、４ポート以上の多方切換弁、例えば、３段の保温保冷庫を有する自販機の保温保冷システムにおいて、各保温保冷庫のコールド・ホットの状態を切り換えるための四方切換弁等としても使用でき、当該直動式電磁弁が使用されたシステムの流路構成や制御系をシンプルなものとすることができる等の効果もある。
【００２３】
上記した以外の、課題、構成、及び作用効果は、以下の実施形態により明らかにされる。
【図面の簡単な説明】
【００２４】
【図１】本発明に係る直動式電磁弁の第１実施形態が使用されたパイロット式五方切換弁が組み込まれたヒートポンプ式冷暖房システムの冷房運転時を示す全体構成図。
【図２】図１に示される五方切換弁の五方弁本体を示す、部分平面図付き全体断面図。
【図３】図１に示される五方切換弁のパイロット弁である、第１実施形態の直動式電磁弁を示す、部分平面図付き拡大断面図。
【図４】本発明に係る直動式電磁弁の第１実施形態が使用されたパイロット式五方切換弁が組み込まれたヒートポンプ式冷暖房システムの暖房運転時を示す全体構成図。
【図５】図４に示される五方切換弁の五方弁本体を示す、部分平面図付き全体断面図。
【図６】図４に示される五方切換弁のパイロット弁である、第１実施形態の直動式電磁弁を示す、部分平面図付き拡大断面図。
【図７】本発明に係る直動式電磁弁の第１実施形態が使用されたパイロット式五方切換弁が組み込まれたヒートポンプ式冷暖房システムの除霜運転時を示す全体構成図。
【図８】図７に示される五方切換弁の五方弁本体を示す、部分平面図付き全体断面図。
【図９】図７に示される五方切換弁のパイロット弁である、第１実施形態の直動式電磁弁を示す、部分平面図付き拡大断面図。
【図１０】図１、図４、及び図７に示されるヒートポンプ式冷暖房システムに組み込まれたパイロット式五方切換弁における直動式電磁弁及び五方弁本体の各部の動作及び位置を状態毎に示す一覧表。
【図１１】本発明に係る直動式電磁弁の第２実施形態（の第１ポジション状態）を示す部分平面図付き拡大断面図。
【図１２】図１１に示される直動式電磁弁の各部の動作及び位置を状態毎に示す一覧表。
【図１３】本発明に係る直動式電磁弁の第２実施形態が四方切換弁として使用された自販機のヒートポンプ式保温保冷システムの第１の保温保冷状態を示す全体構成図。
【図１４】本発明に係る直動式電磁弁の第２実施形態が四方切換弁として使用された自販機のヒートポンプ式保温保冷システムの第２の保温保冷状態を示す全体構成図。
【図１５】本発明に係る直動式電磁弁の第２実施形態が四方切換弁として使用された自販機のヒートポンプ式保温保冷システムの第３の保温保冷状態を示す全体構成図。
【図１６】本発明に係る直動式電磁弁の第３実施形態（の第１ポジション状態）を示す部分平面図付き拡大断面図。
【図１７】図１６に示される直動式電磁弁の第２ポジション状態を示す部分平面図付き拡大断面図。
【図１８】図１６に示される直動式電磁弁の第３ポジション状態を示す部分平面図付き拡大断面図。
【図１９】図１６〜図１８に示される直動式電磁弁の各部の動作及び位置を状態毎に示す一覧表。
【発明を実施するための形態】
【００２５】
以下、本発明の実施形態を図面を参照しながら説明する。
｛第１実施形態｝
図１、図４、図７は、それぞれ、本発明に係る直動式電磁弁の第１実施形態が使用されたパイロット式五方切換弁が組み込まれたヒートポンプ式冷暖房システムの冷房運転時、暖房運転時、除霜運転時を示す全体構成図である。
【００２６】
図２、図５、図８は、それぞれ、図１、図４、図７に示される五方切換弁の五方弁本体を示す、部分平面図付き全体断面図である。
【００２７】
図３、図６、図９は、それぞれ、図１、図４、図７に示される五方切換弁のパイロット弁である、第１実施形態の直動式電磁弁を示す、部分平面図付き拡大断面図である。
【００２８】
なお、本明細書において、上下、左右、前後等の位置、方向を表わす記述は、説明が煩瑣になるのを避けるために図面に従って便宜上付けたものであり、実際にヒートポンプ式冷暖房システムに組み込まれた状態での位置、方向を指すとは限らない。
【００２９】
また、各図において、部材間に形成される隙間や部材間の離隔距離等は、発明の理解を容易にするため、また、作図上の便宜を図るため、各構成部材の寸法に比べて大きくあるいは小さく描かれている場合がある。
【００３０】
図１、図４、図７に示されるヒートポンプ式冷暖房システム１００は、圧縮機１１０、室外熱交換器１２０、室内熱交換器１３０、膨張弁１６０、並びに、四方切換弁及び除霜用開閉弁を一纏めにした五方切換弁１を備えている。
【００３１】
五方切換弁１は、シリンダ型の五方弁本体１０と、パイロット弁としての単一の直動式電磁弁５０とを備えている。
【００３２】
［五方弁本体１０の構成］
五方弁本体１０は、シリンダ部１１を有し、このシリンダ部１１に、左端側から順次、第１作動室３１、第１ピストン２１、主弁室１２、第２ピストン２２、第２作動室３２、第３ピストン２３、及び第３作動室３３が配在されている。前記第１、第２、及び第３ピストン２１、２２、２３には、シリンダ部１１を気密的に仕切るべく、いずれにもシリンダ部１１の内周面にその外周部が圧接するばね付きパッキンが取り付けられている。
【００３３】
前記シリンダ部１１の左端には、第１ピストン２１の左方向への移動を阻止するストッパを兼ねる左端蓋部材１１Ａが気密的に固着され、シリンダ部１１の右端には、第３ピストン２３の右方向への移動を阻止するストッパを兼ねる右端蓋部材１１Ｂが気密的に固着されている。
【００３４】
前記主弁室１２の上部には、圧縮機１１０の吐出側に導管を介して接続される、管継手からなる吐出側高圧ポートＤが設けられるとともに、当該主弁室１２には、その上面が弁シート面とされた、前記四方切換弁の主弁座１４と前記除霜用開閉弁の除霜用弁座１６とが設けられている。主弁座１４と除霜用弁座１６とは、それぞれろう付け等によりシリンダ部１１に気密的に接合固定されている。
【００３５】
前記主弁座１４の弁シート面には、左端側から順次、室外熱交換器１２０に接続される、管継手からなる室外側入出ポートＣ、圧縮機１１０の吸入側に接続される、管継手からなる吸入側低圧ポートＳ、及び、室内熱交換器１３０に接続される、管継手からなる室内側入出ポートＥが開口せしめられるとともに、除霜用弁座１６の弁シート面には、室外熱交換器１２０における膨張弁１６０側の入出口に接続される、管継手からなる除霜用ポートＪが開口せしめられている。
【００３６】
また、主弁座１４の弁シート面には、レーストラック形の環状シール面を持つ断面逆立椀形状の主弁体１５が摺動自在に対接せしめられるとともに、除霜用弁座１６の弁シート面には、除霜用ポートＪを開閉すべく除霜用弁体１７が摺動自在に対接せしめられている。
【００３７】
前記主弁体１５は、図１、図２に示される如くの、室外側入出ポートＣを開きかつ吸入側低圧ポートＳと室内側入出ポートＥとを連通させる冷房運転位置（右端位置）と、図４、図５（図７、図８）に示される如くの、室内側入出ポートＥを開きかつ吸入側低圧ポートＳと室外側入出ポートＣとを連通させる暖房運転位置（左端位置）とを選択的にとり得るようにされている。
【００３８】
主弁体１５は、移動時以外はポートＣ、Ｓ、Ｅのうちのいずれか二つ（ＣとＳ、ＳとＥ）の真上に位置し、このときは主弁室１２に導入された高圧の冷媒により下向きに押圧されて弁シート面に圧接せしめられ、除霜用弁体１７も除霜用ポートＪの真上に位置する閉弁時には、主弁室１２に導入された高圧の冷媒により下向きに押圧されて弁シート面に圧接せしめられている。
【００３９】
前記第１ピストン２１と第２ピストン２２とは、図２、図５、図８に平面図で示される如くの横長矩形板状の主連結体２５により一体移動可能に連結されている。主連結体２５には、主弁体１５が下側から摺動自在に嵌合せしめられる角丸矩形の主開口２５ａが形成されており、主弁体１５は、第１及び第２ピストン２１、２２の往復移動に伴って前記主連結体２５の主開口２５ａ部分に押動されて冷房運転位置（右端位置）と暖房運転位置（左端位置）との間を行き来するようにされている。
【００４０】
また、主連結体２５には、前記主開口２５ａの左右、すなわち、主弁体１５が冷房運転位置（右端位置）をとるとき、前記室外側入出ポートＣの略真上に位置する部位に円形開口２５ｂが形成されるとともに、主弁体１５が暖房運転位置（左端位置）をとるとき、前記室内側入出ポートＥの略真上に位置する部位に円形開口２５ｃが形成され、さらに、主連結体２５の右端側には、除霜用弁体１７が相対摺動可能に嵌挿される横長案内溝２５ｄが形成されている。
【００４１】
前記第３ピストン２３には、左側小径部２７ａ、中間中径部２７ｂ、及び右側大径部２７ｃを持つ除霜用連結体２７の右端部がねじ止め・溶接等により気密的に接合固定されている。除霜用連結体２７の中間中径部２７ｂは、第２ピストン２２に摺動自在に刺し通され、該除霜用連結体２７の左側小径部２７ａに、前記除霜用弁体１７が外嵌されて左端部にねじ込まれたナットにより中間中径部２７ｂの左端段丘部に押付固定されている。従って、除霜用弁体１７は、第３ピストン２３の往復移動に伴って、図１、図２、図４、図５に示される如くの、除霜用ポートＪを閉じる閉弁位置と、図７、図８に示される如くの、除霜用ポートＪを開く開弁位置との間を行き来するようになっている。また、除霜用連結体２７における右側大径部２７ｃと中間中径部２７ｂとの段差部分である中間段丘部は、第２ピストン２２における第２作動室３２側の面に接当する係止部２８となっている。なお、第２作動室３２が主弁室１２より低圧になるとき（図１、図７）には、前記係止部２８が第２ピストン２２の右端面に密接して除霜用連結体２７の中間中径部２７ｂと第２ピストン２２との摺動面間に形成される隙間を塞ぐようにされているので、主弁室１２から第２作動室３２→直動式電磁弁５０→吸入側低圧ポートＳへの高圧冷媒漏れはほとんど発生しない。
【００４２】
［五方弁本体１０の動作］
次に、上記のような構成を有する五方弁本体１０の動作を説明する。
【００４３】
（１）主弁体１５及び除霜用弁体１７がそれぞれ図４に示される如くの暖房運転位置（左端位置）、閉弁位置にあるときにおいて、後述する直動式電磁弁５０を介して、第１作動室３１を吐出側高圧ポートＤに連通させるとともに、第２作動室３２及び第３作動室３３を吸入側低圧ポートＳに連通させると、第１作動室３１に高温高圧の冷媒が導入されるとともに、第２作動室３２から高温高圧の冷媒が排出され、第１作動室３１の圧力が第２及び第３作動室３２、３３の圧力より高くなる。それにより、図１に示される如くに、第１、第２ピストン２１、２２及び主弁体１５が右方向に移動して第２ピストン２２が除霜用連結体２７の中間部に設けられた係止部２８に接当係止され、主弁体１５が冷房運転位置（右端位置）をとり、また、第３ピストン２３は、右端蓋部材１１Ｂに接当係止されたままとなって、除霜用弁体１７が閉弁位置を維持したままとなる。
これにより、冷暖房システム１００において、冷房運転が行われる（詳細は後述）。
【００４４】
（２）主弁体１５及び除霜用弁体１７がそれぞれ図１に示される如くの冷房運転位置（右端位置）、閉弁位置にあるときにおいて、後述する直動式電磁弁５０を介して、第２作動室３２を吐出側高圧ポートＤに連通させるとともに、第１作動室３１及び第３作動室３３を吸入側低圧ポートＳに連通させると、第２作動室３２に高温高圧の冷媒が導入されるとともに、第１作動室３１から高温高圧の冷媒が排出され、第２作動室３２の圧力が第１及び第３作動室３１、３３の圧力より高くなる。それにより、図４に示される如くに、第１、第２ピストン２１、２２及び主弁体１５が左方向に移動して第１ピストン２１が左端蓋部材１１Ａに接当係止され、主弁体１５が暖房運転位置（左端位置）をとり、また、第３ピストン２３は、右端蓋部材１１Ｂに接当係止されたままとなって、除霜用弁体１７が閉弁位置を維持したままとなる。
これにより、冷暖房システム１００において、暖房運転が行われる（詳細は後述）。
【００４５】
（３）主弁体１５及び除霜用弁体１７がそれぞれ図４に示される如くの暖房運転位置（左端位置）、閉弁位置にあるときにおいて、後述する直動式電磁弁５０を介して、第３作動室３３を吐出側高圧ポートＤに連通させるとともに、第１作動室３１及び第２作動室３２を吸入側低圧ポートＳに連通させると、第３作動室３３に高温高圧の冷媒が導入されるとともに、第２作動室３２から高温高圧の冷媒が排出され、第３作動室３３の圧力が第１及び第２作動室３１、３２の圧力より高くなる。それにより、図７に示される如くに、第１、第２ピストン２１、２２及び主弁体１５が暖房運転位置（左端位置）を維持したまま、第３ピストン２３及び除霜用弁体１７が左方向に移動して、除霜用連結体２７の中間部に設けられた係止部２８が第２ピストン２２に接当係止され、除霜用弁体１７が開弁位置をとる。
これにより、冷暖房システム１００において、除霜運転が行われる（詳細は後述）。
【００４６】
［直動式電磁弁５０の構成］
パイロット弁としての直動式電磁弁５０は、図３、図６、図９に拡大図示されているように、左端側外周に電磁コイル５１が外嵌固定された段付き円筒状の弁ケース５２を有し、該弁ケース５２に、左端側から順次、吸引子５５、圧縮コイルばねからなる第１ばね５６、第１プランジャ６１、圧縮コイルばねからなる第２ばね５７、及び、第２プランジャ６２が直列的に配在されており、前記段付き円筒状の弁ケース５２における段差部分は、第２プランジャ６２の右方向への移動を阻止するストッパ６５となっている。なお、ストッパの構成としては、例えば弁ケース５２とは別体のものを弁ケース５２の内周にろう付け等により固定した構成等でもよい。弁ケース５２の左端部は、吸引子５５の鍔状部（外周段丘部）に溶接等により密封接合されている。
【００４７】
吸引子５５の左側には、厚肉円板状の永久磁石５３が、間に磁性金属材料からなるプレート５４を挟んで、電磁コイル５１を覆う断面溝形状のカバーケース５８の一端側板状部と共に、前記吸引子５５にねじ込まれたボルト５９により共締め固定されている。
【００４８】
永久磁石５３は、厚み方向に異極に着磁されて、吸引子５５に対して直列に配置され、第１プランジャ６１を吸引子５５側に引き寄せる方向に磁束を発生するようになっている。
【００４９】
第１プランジャ６１及び第２プランジャ６２は、それぞれ第１弁体７１及び第２弁体７２を伴って（後述）、弁ケース５２内を軸方向（弁ケース５２の中心線Ｏに沿う方向）に摺動自在に配在されており、第１ばね５６は吸引子５５と第１プランジャ６１との間に縮装されて第１プランジャ６１を吸引子５５から引き離す方向に付勢し、第２ばね５７は第１プランジャ６１と第２プランジャ６２との間に縮装されて第２プランジャ６２を第１プランジャ６１から引き離す方向に付勢するようになっている。
【００５０】
第２ばね５７は、第１ばね５６よりばね力（ばね常数）が大きいものが使用されており、電磁コイル５１に通電されていないとき（ＯＦＦ時）には、第１プランジャ６１は第１ばね５６による右方付勢力と第２ばね５７による左方付勢力とが均衡した位置（非吸引位置）に配置される。
【００５１】
第２プランジャ６２の左側外周部には、第１プランジャ６１と第２プランジャ６２とが直接接触することを阻止、言い換えれば、両者間に若干の間隙をあけるべく、合成樹脂等の非磁性材料からなる短円筒状の接触阻止部材６４がインサート成形等により一体に結合されている（接触阻止状態は図９を参照）。なお、接触阻止部材としては、上記構成のものに限られず、合成樹脂等の非磁性材料からなるシート状ないし板状のものを、それらのうちの一方の接触する可能性のある面に貼り付ける、あるいは接触する可能性のある面間に介装する等の構成を採用してもよい。
【００５２】
ここで、本実施形態の直動式電磁弁５０においては、初期状態、つまり、電磁コイル５１に通電されていないとき（＝通電ＯＦＦ時＝印加電圧が０ボルトのとき）には、図３に示される如くに、第１ばね５６及び第２ばね５７の付勢力により、第２プランジャ６２がストッパ６５に接当係止された非吸引位置［Ｘ４］をとるとともに、第１プランジャ６１が吸引子５５と第２プランジャ６２との中間の非吸引位置［Ｘ２］をとる。後述するように、この状態が第１ポジションiとされ、当該冷暖房システム１００において冷房運転が行われる。
【００５３】
上記のように、第１プランジャ６１と第２プランジャ６２が共に非吸引位置［Ｘ２］、［Ｘ４］（図３に示される第１ポジションi）にある通電ＯＦＦ時に、電磁コイル５１に電圧Ｖ１を印加すると、図６に示される如くに、第１プランジャ６１が第１ばね５６の付勢力に抗して吸引子５５に引き寄せられた吸引位置（ここでは、完全に吸着した位置）［Ｘ１］をとるが、第２プランジャ６２はストッパ６５に接当係止された非吸引位置［Ｘ４］をとったままとなる。
【００５４】
この状態において、電磁コイル５１への通電をＯＦＦにすると、永久磁石５３の磁力により第１プランジャ６１は吸引位置［Ｘ１］で保持されたままとなるとともに、第２プランジャ６２も非吸引位置［Ｘ４］をとったままとなる（図６に示される状態から変化しない）。後述するように、この状態が第２ポジションiiとされ、当該冷暖房システム１００において暖房運転が行われる。
【００５５】
上記のように、第１プランジャ６１が吸引位置［Ｘ１］、第２プランジャ６２が非吸引位置［Ｘ４］（図６に示される第２ポジションii）にあるとき、電磁コイル５１に極性を反転させた電圧−Ｖ１（離間電圧と称することがある）を印加すると、吸引子５５及び第１プランジャ６１の極性が反転するため、第１ばね５６の付勢力が永久磁石５３の磁気吸引力に打ち勝って、吸引位置［Ｘ１］で保持されていた第１プランジャ６１が吸引子５５から離れ、第２プランジャ６２は非吸引位置［Ｘ４］をとったままとなり、その後、通電をＯＦＦにすると、図３に示される如くの第１ポジションiに戻る。
【００５６】
一方、第１プランジャ６１が吸引位置［Ｘ１］、第２プランジャ６２が非吸引位置［Ｘ４］（図６に示される第２ポジションii）にあるとき、電磁コイル５１に前記電圧Ｖ１より高い電圧Ｖ２を印加すると、図９に示される如くに、第１プランジャ６１が吸引位置［Ｘ１］で保持されたままで、第２プランジャ６２が第２ばね５７の付勢力に抗して第１プランジャ６１側に引き寄せられた吸引位置［Ｘ３］をとる。この状態では、接触阻止部材６４により、第１プランジャ６１と第２プランジャ６２との間に若干の間隙が形成される。後述するように、この状態が第３ポジションiiiとされ、当該冷暖房システム１００において除霜運転が行われる。
【００５７】
上記のように第１プランジャ６１と第２プランジャ６２が共に吸引位置［Ｘ１］、［Ｘ３］（図９に示される第３ポジションiii）にあるとき、電磁コイル５１への通電をＯＦＦにすると、永久磁石５３の磁力により第１プランジャ６１は吸引位置［Ｘ１］で保持されたままであるが、第２プランジャ６２は第２ばね５７の付勢力により非吸引位置［Ｘ４］に戻される（図６に示される第２ポジションii状態に戻される）。
【００５８】
さらに、上記のように、第１プランジャ６１と第２プランジャ６２が共に非吸引位置［Ｘ２］、［Ｘ４］（図１に示される第１ポジションi）にある通電ＯＦＦ時に、電磁コイル５１に前記電圧Ｖ１より高い電圧Ｖ２を印加すると、図９に示される如くに、第１プランジャ６１が第１ばね５６の付勢力に抗して吸引子５５に引き寄せられた吸引（吸着）位置［Ｘ１］をとるとともに、第２プランジャ６２が第２ばね５７の付勢力に抗して第１プランジャ６１側に引き寄せられた吸引位置［Ｘ３］をとる。前記したように、この状態が第３ポジションiiiとされ、この状態では、接触阻止部材６４により、第１プランジャ６１と第２プランジャ６２との間に若干の間隙が形成される。
【００５９】
上記のように第１プランジャ６１と第２プランジャ６２が共に吸引位置［Ｘ１］、［Ｘ３］（図９に示される第３ポジションiii）にあるとき、電磁コイル５１に極性を反転させた電圧−Ｖ１又は−Ｖ２を印加すると、第１ばね５６の付勢力が永久磁石５３の磁気吸引力に打ち勝って、吸引位置［Ｘ１］で保持されていた第１プランジャ６１が吸引子５５から離れるとともに、第２プランジャ６２も第２ばね５７の付勢力により第１プランジャ６１から遠ざけられ、その後、通電をＯＦＦにすると、図３に示される如くの第１ポジションiに戻る。
【００６０】
一方、弁ケース５２の右端開口部には、高圧冷媒を導入するため細管挿着口（主ポートｐ６）を有するフィルタ付き蓋部材６６が溶接・ろう付け・かしめ等により気密的に取着されており、蓋部材６６と第２プランジャ６２と弁ケース５２とで囲まれる領域が弁室６０となっている。弁室６０には、蓋部材６６の細管挿着口（主ポートｐ６）に気密的に挿着された可撓性を有する第６細管＃６を介して前記吐出側高圧ポートＤから高温高圧の冷媒が導入されるようになっている。
【００６１】
また、弁ケース５２における第２プランジャ６２と蓋部材６６との間には、その上面が平坦な弁シート面とされた弁座７０がろう付け等により気密的に接合されており、この弁座７０の弁シート面には、５個のポートｐ１〜ｐ５が弁ケース５２の長手方向（左右方向）に沿って所定間隔をあけて開口せしめられており、各ポートｐ１〜ｐ５には、それぞれ細管＃１〜＃５（の一端部）が気密的に挿着固定されている。
【００６２】
詳細には、弁座７０の弁シート面には、左端側から順次、第１作動室３１に第１細管＃１を介して接続される第１ポートｐ１、吸入側低圧ポートＳに第２細管＃２を介して接続される第２ポートｐ２、第２作動室３２に第３細管＃３を介してして接続される第３ポートｐ３、吸入側低圧ポートＳに第４細管＃４を介して接続される第４ポートｐ４、及び第３作動室３３に第５細管＃５を介して接続される第５ポートｐ５が左右方向に等間隔をあけて横並びに開口せしめられている。
【００６３】
そして、弁座７０の弁シート面上には、第１弁体７１と第２弁体７２とが摺動自在に対接せしめられている。
【００６４】
第１弁体７１と第２弁体７２とは、同一寸法形状であり、それぞれ平面視で大判半体と小判半体とを合わせたような形状とされ、それらの小判半体側を対向させるように平面視横並びに配在されている。両弁体７１、７２には、弁座７０の弁シート面に開口する前記した５個のポートｐ１〜ｐ５のうちの隣り合うポートｐ１−Ｐ２間、ｐ２−ｐ３間、ｐ３−ｐ４間、ｐ４−ｐ５間を連通させ得るような大きさの凹部７１ａ、７２ａが設けられている。
【００６５】
第１弁体７１と第２弁体７２とは、前記吸引子５５から離れる方向の移動（右行）を前進、前記吸引子５５に近づく方向の移動（左行）を後退として、それぞれ異なる前進位置と後退位置の２つの位置を相互に干渉することなくとり得るようにされている。すなわち、第１弁体７１は、第１プランジャ６１の移動に伴って、常に第２弁体７２より左側の前進位置［Ｙ２］と後退位置［Ｙ１］とをとり、第２弁体７２は、第２プランジャ６２の移動に伴って、常に第１弁体７１より右側の前進位置［Ｙ４］と後退位置［Ｙ３］とをとる。
【００６６】
詳細には、第１プランジャ６１には、第２プランジャ６２にその左側半体７５Ａの大径部７５ｂが摺動自在に嵌挿された第１弁体ホルダ７５の左端小径部７５ａがかしめ等により連結固定され、該左側半体７５Ａの右端板状部７５ｃには、第１弁体ホルダ７５における右側半体７５Ｂの基端部が、第１弁体７１及び第２弁体７２を厚み方向（上下方向）に付勢する板ばね６８の基端部と共に、リベット等により連結固定されている。第１弁体ホルダ７５の右側半体７５Ｂの右端近くには角丸矩形の開口７７が形成されており、該開口７７には、第１弁体７１が厚み方向に摺動可能に嵌合せしめられている。なお、ここでは、開口７７の幅方向及び左右方向の長さは、第１弁体７１の幅方向及び左右方向の長さと略同じとされている。
【００６７】
一方、第２プランジャ６２には、第１弁体ホルダ７５の真下に配置されてその右端部が第１弁体ホルダ７５の右端部より右側に位置する第２弁体ホルダ７６の左端部が溶接等により連結固定され、該第２弁体ホルダ７６の右端側には、幅方向内方に突き出る一対の係止部７９が設けられた細長い角丸矩形の、かつ前記開口７７と同幅の開口７８が形成されている。開口７８における係止部７９より左側部分７８Ａは、第１弁体７１が左右方向及び厚み方向に摺動可能に嵌合せしめられている。この左側部分７８Ａの左右方向の長さは、第１弁体７１が第１プランジャ６１の移動に伴って前進位置［Ｙ２］と後退位置［Ｙ１］との間を行き来する際に干渉しないような長さに設定されている。
【００６８】
また、開口７８における係止部７９より右側部分７８Ｂは、第２弁体７２が左右方向及び上下方向に摺動可能に嵌合し、かつ、第２プランジャ６２が右方向に移動（吸引位置［Ｘ３］から非吸引位置［Ｘ４］へ移動）するときには、係止部７９が第２弁体７２を前進位置［Ｙ４］まで押動し、第２プランジャ６２が左方向に移動（非吸引位置［Ｘ４］から吸引位置［Ｘ３］へ移動）するときは、開口７８の右端が第２弁体７２を後退位置［Ｙ３］まで押動するように、当該開口７８の寸法形状が設定されている。
【００６９】
ここで、本実施形態では、第１プランジャ６１が非吸引位置［Ｘ２］をとるとき、第１弁体７１が前進位置［Ｙ２］をとり、第１弁体７１の前進位置［Ｙ２］は、該第１弁体７１が第２ポートｐ２及び第３ポートｐ３上に位置してそれらを連通させる位置とされる。
【００７０】
また、第２プランジャ６２が非吸引位置［Ｘ４］をとるとき、第２弁体７２が前進位置［Ｙ４］をとり、第２弁体７２の前進位置［Ｙ４］は、該第２弁体７２が第４ポートｐ４及び第５ポートｐ５上に位置してそれらを連通させる位置とされる。
【００７１】
また、第１プランジャ６１が吸引位置［Ｘ１］をとるとき、第１弁体７１が後退位置［Ｙ１］をとり、第１弁体７１の後退位置［Ｙ１］は、該第１弁体７１が第１ポートｐ１及び第２ポートｐ２上に位置してそれらを連通させる位置とされる。
【００７２】
また、第２プランジャ６２が吸引位置［Ｘ３］をとるとき、第２弁体７２が前進位置［Ｙ３］をとり、第２弁体７２の後退位置［Ｙ３］は、該第２弁体７２が第３ポートｐ３及び第４ポートｐ４上に位置してそれらを連通させる位置とされる。
【００７３】
したがって、本実施形態の直動式電磁弁５０では、第１弁体７１と第２弁体７２の位置の組み合わせにより、合計で３ポジション（第１ポジションi、第２ポジションii、第３ポジションiii）間での切り換えが可能となっている。
【００７４】
すなわち、第１ポジションiでは、第１弁体７１が前進位置［Ｙ２］、第２弁体７２が前進位置［Ｙ４］をとり、このときは、第１ポートｐ１が開かれ、第２ポートｐ２−第３ポートｐ３、及び、第４ポートｐ４−第５ポートｐ５が連通し、後述するように、冷房運転が行われる。
【００７５】
第２ポジションiiでは、第１弁体７１が後退位置［Ｙ１］、第２弁体７２が前進位置［Ｙ４］をとり、このときは、第３ポートｐ３が開かれ、第１ポートｐ１−第２ポートｐ２、及び、第４ポートｐ４−第５ポートｐ５が連通し、後述するように、暖房運転が行われる。
【００７６】
第３ポジションiiiでは、第１弁体７１が後退位置［Ｙ１］、第２弁体７２が後退位置［Ｙ３］をとり、このときは、第５ポートｐ５が開かれ、第１ポートｐ１−第２ポートｐ２、及び、第３ポートｐ３−第４ポートｐ４が連通し、後述するように、除霜運転が行われる。
【００７７】
そして、第１ポジションiから第２ポジションiiへの切り換え及びその逆（ii→i）の切り換え、第２ポジションiiから第３ポジションiiiへの切り換え及びその逆（iii→ii）の切り換え、並びに、第１ポジションiから第３ポジションiiiへの切り換え及びその逆（iii→i）の切り換えが可能とされている。
【００７８】
なお、上記直動式電磁弁５０は、取付具６９を介して五方弁本体１０の背面側に取付けられる。
【００７９】
［直動式電磁弁５０を含む五方切換弁１全体の動作］
次に、直動式電磁弁５０を含む五方切換弁１全体並びに冷暖房システム１００の動作を説明する。
【００８０】
図１０は、冷暖房システム１００の動作状態（Ａ、Ａ１、Ｂ、Ｂ１、Ｂ２、Ｃ、Ｃ１）毎に各部の動作及び位置を示す一覧表である。本実施形態では、除霜（運転）を暖房運転時に行うようにされるので、運転状態の移行パターンは、Ａ（冷房）→Ｂ１→Ｂ（暖房）→Ａ１→Ａ（冷房）のパターンと、Ｂ（暖房）→Ｃ１→Ｃ（除霜）→Ｂ２→Ｂ（暖房）のパターンの二つとなり、除霜→冷房や冷房→除霜の移行パターンは存在しない。すなわち、ポジションで見れば、i→ii、ii→i、ii→iii、及びiii→iiの切換パターンが使用されているが、iii→iやi→iiiの切換パターンは使用されていない（前述したように、iii→iやi→iiiの切り換えも可能であるが、使用はされていない）。
【００８１】
＜Ａ：冷房運転（第１ポジションi）  図１、図２、図３＞
前記電磁コイル５１への通電ＯＦＦ時（初期状態）には、第１ばね５６及び第２ばね５７の付勢力により、第２プランジャ６２がストッパ６５に接当係止された非吸引位置［Ｘ４］をとるとともに、第１プランジャ６１が吸引子５５と第２プランジャ６２との中間の非吸引位置［Ｘ２］をとり、それに伴い、第１弁体７１が前進位置［Ｙ２］、第２弁体７２も前進位置［Ｙ４］をとる（第１ポジションi）。これにより、第１ポートｐ１が開かれ、第２ポートｐ２と第３ポートｐ３が連通するとともに、第４ポートｐ４と第５ポートｐ５が連通し、吐出側高圧ポートＤ→直動式電磁弁５０の弁室６０→第１ポートｐ１→第１細管＃１を介して第１作動室３１に高温高圧の冷媒が導入されるとともに、第２作動室３２が第３細管＃３→第２細管＃２を介して、また、第３作動室３３が第５細管＃５→第４細管＃４を介して、それぞれ吸入側低圧ポートＳに接続されるので、第１作動室３１の圧力が第２及び第３作動室３２、３３の圧力より高くなる。それにより、図１に示される如くに、第３ピストン２３が右端蓋部材１１Ｂに接当係止された位置、第２ピストン２２が除霜用連結体２７の中間部に設けられた係止部２８に接当係止された位置、第１ピストン２１が右端位置をとり、それに伴い、主弁体１５が冷房運転位置（右端位置）をとり、また、除霜用弁体１７が閉弁位置をとる。
【００８２】
これにより、圧縮機１１０から高温高圧の冷媒が吐出側高圧ポートＤ→主弁室１２→室外側入出ポートＣ→室外熱交換器１２０に導かれ、ここで室外空気と熱交換して凝縮し、高圧の二相冷媒となって膨張弁１６０に導入される。この膨張弁１６０により高圧の冷媒が減圧され、減圧された低圧の冷媒が、室内熱交換器１３０に導入され、ここで室内空気と熱交換（冷房）して蒸発し、室内熱交換器１３０からは低温低圧の冷媒が室内側入出ポートＥ→主弁体１５内→吸入側低圧ポートＳを介して圧縮機１１０の吸入側に戻され、冷暖房システム１００において、冷房運転が行われる。
【００８３】
＜Ｂ１：冷房運転→暖房運転（i→ii）  図４、図５、図６＞
冷房運転から暖房運転へ移行させるには、電磁コイル５１に電圧Ｖ１を印加する。これにより、第１プランジャ６１が第１ばね５６の付勢力に抗して吸引子５５に引き寄せられた吸引位置［Ｘ１］をとるが、第２プランジャ６２はストッパ６５に接当係止された非吸引位置［Ｘ４］をとったままとなり、それに伴い、第１弁体７１が後退位置［Ｙ１］、第２弁体７２が前進位置［Ｙ４］をとる（第２ポジションii）。これにより、第３ポートｐ３が開かれ、第１ポートｐ１と第２ポートｐ２が連通するとともに、第４ポートｐ４と第５ポートｐ５が連通し、吐出側高圧ポートＤ→直動式電磁弁５０の弁室６０→第３ポートｐ３→第３細管＃３を介して第２作動室３２に高温高圧の冷媒が導入されるとともに、第１作動室３１が第１細管＃１→第２細管＃２を介して、また、第３作動室３３が第５細管＃５→第４細管＃４を介して、それぞれ吸入側低圧ポートＳに接続されるので、第２作動室３２の圧力が第１及び第３作動室３１、３３の圧力より高くなる。それにより、図４に示される如くに、第１、第２ピストン２１、２２及び主弁体１５が左方向に移動して第１ピストン２１が左端蓋部材１１Ａに接当係止され、主弁体１５が暖房運転位置（左端位置）をとり、また、第３ピストン２３は、右端蓋部材１１Ｂに接当係止されたままとなって、除霜用弁体１７が閉弁位置を維持したままとなる。
【００８４】
これにより、圧縮機１１０から高温高圧の冷媒が吐出側高圧ポートＤ→主弁室１２→室内側入出ポートＥ→室内熱交換器１３０に導かれ、ここで室内空気と熱交換（暖房）して蒸発し、高圧の二相冷媒となって膨張弁１６０に導入される。この膨張弁１６０により高圧の冷媒が減圧され、減圧された低圧の冷媒が、室外熱交換器１２０に導入され、ここで室外空気と熱交換して凝縮し、室外熱交換器１２０からは低温低圧の冷媒が室外側入出ポートＣ→主弁体１５内→吸入側低圧ポートＳを介して圧縮機１１０の吸入側に戻され、冷暖房システム１００において、冷房運転から暖房運転に移行する。
【００８５】
＜Ｂ：暖房運転（第２ポジションii）  図４、図５、図６＞
暖房運転に移行後に、電磁コイル５１への通電をＯＦＦにすると、永久磁石５３の磁力により第１プランジャ６１は前記吸引位置［Ｘ１］で保持されたままとなるとともに、第２プランジャ６２も前記非吸引位置［Ｘ４］をとったままとなり、それに伴い、第１弁体７１が後退位置［Ｙ１］、第２弁体７２が前進位置［Ｙ４］をとったままとされる（第２ポジションii）。これにより、主弁体１５が暖房運転位置を、また、除霜用弁体１７が閉弁位置をそれぞれとったままとなり、前記冷暖房システム１００では暖房運転が継続される。
【００８６】
＜Ａ１：暖房運転→冷房運転（ii→i）  図１、図２、図３＞
上記暖房運転継続時（通電ＯＦＦ時）において、電磁コイル５１に極性を反転させた電圧−Ｖ１を印加すると、永久磁石５３の磁力により前記吸引位置［Ｘ１］で保持されていた第１プランジャ６１が第１ばね５６の付勢力により前記非吸引位置［Ｘ２］に戻るとともに、第２プランジャ６２は前記非吸引位置［Ｘ４］をとったままとされ、それに伴い、第１弁体７１が後退位置［Ｙ１］から前進位置［Ｙ２］へ移動するが、第２弁体７２は前進位置［Ｙ４］のままとなる（第１ポジションi）。これにより、主弁体１５が右方向に移動して冷房運転位置をとるとともに、除霜用弁体１７が閉弁位置をとり、前記冷暖房システムでは暖房運転から冷房運転に移行し、その後、電磁コイル５１への通電をＯＦＦにしても、冷房運転が継続される。
【００８７】
＜Ｃ１、Ｃ：通常の暖房運転→除霜運転（ii→iii）  図７、図８、図９＞
上記通常の暖房運転継続時（通電ＯＦＦ時）において、電磁コイル５１に前記電圧Ｖ１より高い電圧Ｖ２を印加すると、第１プランジャ６１が前記吸引位置［Ｘ１］で保持されたままで、第２プランジャ６２が第２ばね５７の付勢力に抗して第２プランジャ６２側に引き寄せられた吸引位置［Ｘ３］をとり、それに伴い、第１弁体７１が後退位置［Ｙ１］、第２弁体７２も後退位置［Ｙ３］をとる（第３ポジションiii）。これにより、第５ポートｐ５が開かれ、第１ポートｐ１と第２ポートｐ２が連通するとともに、第３ポートｐ３と第４ポートｐ４が連通し、吐出側高圧ポートＤ→直動式電磁弁５０の弁室６０→第５ポートｐ５→第５細管＃５を介して第３作動室３３に高温高の圧冷媒が導入されるとともに、第１作動室３１が第１細管＃１→第２細管＃２を介して、また、第２作動室３２が第３細管＃３→第４細管＃４を介して、それぞれ吸入側低圧ポートＳに接続されるので、第３作動室３３の圧力が第１及び第２作動室３１、３２の圧力より高くなる。それにより、図７に示される如くに、第１、第２ピストン２１、２２及び主弁体１５が暖房運転位置（左端位置）を維持したまま、第３ピストン２３及び除霜用弁体１７が左方向に移動して、除霜用連結体２７の中間部に設けられた係止部２８が第２ピストン２２に接当係止され、除霜用弁体１７が開弁位置をとる。
【００８８】
これにより、冷暖房システム１００において、暖房運転が継続されながら、主弁室１２に導入された高温高圧の冷媒の一部が除霜用ポートＪを介して室外熱交換器１２０における膨張弁１６０側の入出口に導かれ、そのため、当該室外熱交換器１２０が発熱して霜取り（除霜運転）が行われる。
【００８９】
＜Ｂ２：除霜運転→通常の暖房運転（iii→ii）  図４、図５、図６＞
上記除霜運転時において、電磁コイルへ５１への通電をＯＦＦにすると、永久磁石５３の磁力により第１プランジャ６１は前記吸引位置［Ｘ１］で保持されたままとなるとともに、第２プランジャ６２は第２ばね５７の付勢力により前記非吸引位置［Ｘ４］に戻され、それに伴い、第１弁体７１が後退位置［Ｙ１］をとったまま、第２弁体７２が後退位置［Ｙ３］から前進位置［Ｙ４］へと移動する（第２ポジションii）。これにより、主弁体１５が暖房運転位置（左端位置）をとったままで、除霜用弁体１７が右方向に移動して閉弁位置をとり、前記冷暖房システム１００では室外熱交換器１２０の除霜が停止され、通常の暖房運転が継続される。
【００９０】
［第１実施形態の直動式電磁弁５０及び五方切換弁１の効果］
以上のように、本実施形態の直動式電磁弁５０及び五方切換弁１においては、第１プランジャ６１及び第２プランジャが直列に配在され、電磁コイル５１への印加電圧に応じて、それぞれ異なる吸引位置と非吸引位置とをとるようにされ、それに伴い、第１弁体７１及び第２弁体７２もそれぞれ異なる前進位置と後退位置とをとるようにされ、第１弁体７１と第２弁体７２の位置の組み合わせにより、全体では合計で３ポジション（第１ポジションi、第２ポジションii、第３ポジションiii）間での切り換えが可能とされるので、直動式電磁弁５０に前記３ポジションのうちのいずれかを選択的にとらせることにより、第１、第２、及び第３作動室３１、３２、３３への高圧冷媒の導入・排出を制御することができ、これにより、冷凍サイクルにおける四方切換弁による流路切換と除霜用開閉弁の開閉とを本実施形態の直動式電磁弁５０一つのみで行うことができるため、比較的シンプルな構成のもとで、冷房運転、暖房運転、及び暖房運転時における室外熱交換器１２０の除霜を行うことができ、そのため、設置コストや部品コストを低く抑えることができる。
【００９１】
また、主弁室と作動室間の均圧等を行わなくてもよいので、除霜時における高圧冷媒漏れが発生せず、運転移行動作を、何ら制約を受けずに迅速に行うことができる。
【００９２】
また、直動式電磁弁５０に永久磁石５３を付設して自己保持タイプの電磁弁としているので、冷房→暖房運転移行後、暖房→冷房運転移行後、及び、除霜→通常の暖房運転移行後には、通電が不要となり、省エネ化が図られる。
【００９３】
なお、上記直動式電磁弁５０が自己保持タイプのものとなっている関係上、停電等により、第１プランジャ６１が永久磁石５３の磁力により吸引子５５に吸着した吸引位置［Ｘ１］にあるのか非吸引位置［Ｘ２］にあるのか不明になった際には、運転再開当初に、電磁コイル５１に電圧Ｖ１を印加して第１プランジャ６１を一度吸引位置［Ｘ１］にして、その位置を把握してから制御を開始するようにすればよい。
【００９４】
｛第２実施形態｝
［直動式電磁弁８０の構成］
次に、本発明に係る第２実施形態の直動式電磁弁８０を図１１〜図１５を参照しながら説明する。
【００９５】
図１１は、本発明に係る直動式電磁弁の第２実施形態（の第１ポジションi状態）を示す部分平面図付き拡大断面図である。
【００９６】
図示第２実施形態の直動式電磁弁８０は、基本構成は、第１実施形態の直動式電磁弁５０と略同じであるので、直動式電磁弁５０の各部に対応する部分には共通の符号を付して重複説明を省略し、以下においては、相違点を重点的に説明する。
【００９７】
本例の直動式電磁弁８０は、例えば図１３〜図１５に示される如くの、自販機のヒートポンプ式保温保冷システム２００に流路切換弁（四方切換弁）として使用されるもので、弁ケース５２における第２プランジャ６２と蓋部材６６との間に、その上面が平坦な弁シート面とされた弁座９０がろう付け等により気密的に接合されており、この弁座９０の弁シート面に、左側から順次、第１ポートｐ１１、第２ポートｐ１２、第３ポートｐ１３の３個のポートが一定間隔をあけて横並びに開口せしめられている。
【００９８】
また、弁座９０の弁シート面上には、前記第１ポートｐ１１、第２ポートｐ１２、第３ポートｐ１３を選択的に開閉すべく、第１弁体８１と第２弁体８２とが左右に横並びに配在されて摺動自在に対接せしめられている。
【００９９】
第１弁体８１と第２弁体８２は、第１実施形態の弁体７１、７２から凹部７１ａ、７２ａを無くして下端面（対接面）を平坦面としていること以外は、前記弁体７１、７２と同じである。
【０１００】
第１弁体８１と第２弁体８２とは、第１実施形態の弁体７１、７２と同様に、吸引子５５から離れる方向の移動（右行）を前進、吸引子５５に近づく方向の移動（左行）を後退として、それぞれ異なる前進位置と後退位置の２つの位置を相互に干渉することなくとり得るようにされている。すなわち、第１弁体８１は、第１プランジャ６１の移動に伴って、常に第２弁体８２より左側の前進位置［Ｙ２］と後退位置［Ｙ１］とをとり、第２弁体８２は、第２プランジャ６２の移動に伴って、常に第１弁体８１より右側の前進位置［Ｙ４］と後退位置［Ｙ３］とをとる。
【０１０１】
ここで、本実施形態では、第１プランジャ６１が非吸引位置［Ｘ２］をとるとき、第１弁体８１が前進位置［Ｙ２］をとり、第１弁体８１の前進位置［Ｙ２］は、該第１弁体８１が第２ポートｐ１２上に位置してそれを閉じる位置とされる。
【０１０２】
また、第２プランジャ６２が非吸引位置［Ｘ４］をとるとき、第２弁体８２が前進位置［Ｙ４］をとり、第２弁体８２の前進位置［Ｙ４］は、該第２弁体８２が第３ポートｐ１３上に位置してそれを閉じる位置とされる。
【０１０３】
また、第１プランジャ６１が吸引位置［Ｘ１］をとるとき、第１弁体８１が後退位置［Ｙ１］をとり、第１弁体８１の後退位置［Ｙ１］は、該第１弁体８１が第１ポートｐ１１上に位置してそれを閉じる位置とされる。
【０１０４】
また、第２プランジャ６２が吸引位置［Ｘ３］をとるとき、第２弁体８２が前進位置［Ｙ３］をとり、第２弁体８２の後退位置［Ｙ３］は、該第２弁体８２が第２ポートｐ１２上に位置してそれを閉じる位置とされる。
【０１０５】
したがって、本実施形態の直動式電磁弁８０では、第１弁体８１と第２弁体８２の位置の組み合わせにより、合計で３ポジション（第１ポジションi、第２ポジションii、第３ポジションiii）間での切り換えが可能となっている。
【０１０６】
すなわち、第１ポジションiでは、第１弁体８１が前進位置［Ｙ２］、第２弁体８２が前進位置［Ｙ４］をとり、このときは、第１ポートｐ１１が開かれ、第２ポートｐ１２及び第３ポートｐ１３が閉じられ、
第２ポジションiiでは、第１弁体８１が後退位置［Ｙ１］、第２弁体８２が前進位置［Ｙ４］をとり、このときは、第２ポートｐ１２が開かれ、第１ポートｐ１１及び第３ポートｐ１３が閉じられ、
第３ポジションiiiでは、第１弁体８１が後退位置［Ｙ１］、第２弁体８２が後退位置［Ｙ３］をとり、このときは、第３ポートｐ１３が開かれ、第１ポートｐ１１及び第２ポートｐ１２が閉じられる。
【０１０７】
そして、第１ポジションiから第２ポジションiiへの切り換え及びその逆（ii→i）の切り換え、第２ポジションiiから第３ポジションiiiへの切り換え及びその逆（iii→ii）の切り換え、並びに、第１ポジションiから第３ポジションiiiへの切り換え及びその逆（iii→i）の切り換えが可能とされている。
【０１０８】
図１２は、直動式電磁弁８０の動作状態（Ａ、Ａ１、Ｂ、Ｃ、Ｃ１）毎の各部の動作及び位置を状態毎に示す一覧表である。本実施形態では、移行パターンは、基本的には、初期の動作状態がＡ（第１ポジションi）となり、第１〜第３ポジションi〜iiiの３ポジション間で切り換えられるパターンとなる。例えば、第１ポジションi→第２ポジションii→第３ポジションiiiと切り換える場合の移行パターンは、Ａ→Ｂ→Ｃ→Ｃ１→Ａ１→Ａとなる。
【０１０９】
＜Ａ：第１ポジションi＞
本実施形態の直動式電磁弁８０においても、第１実施形態の直動式電磁弁５０と同様に、電磁コイル５１への通電ＯＦＦ時には、第１ばね５６及び第２ばね５７の付勢力により、第２プランジャ６２がストッパ６５に接当係止された非吸引位置［Ｘ４］をとるとともに、第１プランジャ６１が吸引子５５と第２プランジャ６２との中間の非吸引位置［Ｘ２］をとり、それに伴い、第１弁体８１が前進位置［Ｙ２］、第２弁体８２も前進位置［Ｙ４］をとる。これにより、第１ポジションiがとられ、第１ポートｐ１１が開き、第２ポートｐ１２及び第３ポートｐ１３が閉じられる。
【０１１０】
＜Ｂ：第１ポジションi→第２ポジションii＞
この状態において、電磁コイル５１に電圧Ｖ１を印加すると、第１プランジャ６１が第１ばね５６の付勢力に抗して吸引子５５に引き寄せられた吸引位置［Ｘ１］をとるが、第２プランジャ６２はストッパ６５に接当係止された非吸引位置［Ｘ４］をとったままとなり、それに伴い、第１弁体８１が後退位置［Ｙ１］、第２弁体８２が前進位置［Ｙ４］をとり、その後、通電をＯＦＦにしても、永久磁石５３の磁力により第１プランジャ６１は吸引位置［Ｘ１］で保持されたままとされ、その前の状態から変化しない。これにより、第１ポジションiから第２ポジションiiへ切り換えられ、第２ポートｐ１２が開き、第１ポートｐ１１及び第３ポートｐ１３が閉じられる。
【０１１１】
＜Ａ１：第２ポジションii→第１ポジションi＞
この状態において、電磁コイル５１に極性を反転させた電圧−Ｖ１を印加すると、永久磁石５３の磁力により前記吸引位置［Ｘ１］で保持されていた第１プランジャ６１が第１ばね５６の付勢力により前記非吸引位置［Ｘ２］に戻るとともに、第２プランジャ６２は前記非吸引位置［Ｘ４］をとったままとされ、それに伴い、第１弁体８１が後退位置［Ｙ１］から前進位置［Ｙ２］へ移動するが、第２弁体８２は前進位置［Ｙ４］のままとなる（第２ポジションii→第１ポジションi）。
【０１１２】
＜Ｃ：第２ポジションii→第３ポジションiii＞
次に、第１プランジャ６１が吸引位置［Ｘ１］、第２プランジャ６２が非吸引位置［Ｘ４］にあるとき、電磁コイル５１に前記電圧Ｖ１より高い電圧Ｖ２を印加すると、第１プランジャ６１が前記吸引位置［Ｘ１］で保持されたままで、第２プランジャ６２が第２ばね５７の付勢力に抗して第１プランジャ６１側に引き寄せられた吸引位置［Ｘ３］をとり、それに伴い、第１弁体８１が後退位置［Ｙ１］、第２弁体８２も後退位置［Ｙ３］をとる。これにより、第２ポジションiiから第３ポジションiiiへ切り換えられ、第３ポートｐ１３が開き、第１ポートｐ１１及び第２ポートｐ１２が閉じられる。
【０１１３】
＜Ｃ１：第３ポジションiii→第２ポジションii＞
その後、電磁コイルへ５１の通電をＯＦＦにすると、永久磁石５３の磁力により第１プランジャ６１は前記吸引位置［Ｘ１］で保持されたままとなるとともに、第２プランジャ６２は第２ばね５７の付勢力により前記非吸引位置［Ｘ４］に戻され、それに伴い、第１弁体８１が後退位置［Ｙ１］をとったまま、第２弁体８２が後退位置［Ｙ３］から前進位置［Ｙ４］へと移動する（第３ポジションiii→第２ポジションii）。
【０１１４】
さらに、上記のように、第１プランジャ６１と第２プランジャ６２が共に非吸引位置［Ｘ２］、［Ｘ４］（第１ポジションi）にある通電ＯＦＦ時に、電磁コイル５１に前記電圧Ｖ１より高い電圧Ｖ２を印加すると、第１プランジャ６１が第１ばね５６の付勢力に抗して吸引子５５に引き寄せられた吸引（吸着）位置［Ｘ１］をとるとともに、第２プランジャ６２が第２ばね５７の付勢力に抗して第１プランジャ６１側に引き寄せられた吸引位置［Ｘ３］をとる（第１ポジションi→第３ポジションiii）。
【０１１５】
上記のように第１プランジャ６１と第２プランジャ６２が共に吸引位置［Ｘ１］、［Ｘ３］にあるとき（第３ポジションiii）、電磁コイル５１に極性を反転させた電圧−Ｖ１又は−Ｖ２を印加すると、第１ばね５６の付勢力が永久磁石５３の磁気吸引力に打ち勝って、吸引位置［Ｘ１］で保持されていた第１プランジャ６１が吸引子５５から離れるとともに、第２プランジャ６２も第２ばね５７の付勢力により第１プランジャ６１から遠ざけられ、その後、通電をＯＦＦにすると、第３ポジションiiiから第１ポジションiに戻る。
【０１１６】
なお、強弱２種の電圧Ｖ１、Ｖ２を用いて、第１ポジションi→第２ポジションii→第３ポジションiiiへ切り換えるパターンの他、上記のように第１プランジャ６１と第２プランジャ６２に共に吸引位置［Ｘ１］、［Ｘ３］をとらせた後（第３ポジションiii）、通電をＯＦＦにして第２ポジションiiをとらせる切り換えパターンも可能である。
【０１１７】
［直動式電磁弁８０が使用された自販機の保温保冷システム２００の構成・動作］
図１３〜図１５はそれぞれ、本発明に係る直動式電磁弁の第２実施形態が四方切換弁として使用された自販機のヒートポンプ式保温保冷システムの第１、第２、及び第３の保温保冷状態を示す全体構成図である。
【０１１８】
本実施形態の自販機の保温保冷システム２００は、上段保温保冷庫２０１、中段保温保冷庫２０２、下段保温保冷庫２０３を有し、直動式電磁弁８０は、これらの保温保冷庫２０１、２０２、２０３のコールド・ホットの状態を切り換えるための流路切換弁（四方切換弁）として使用されている。
【０１１９】
ヒートポンプ式保温保冷システム２００は、圧縮機２１０、室外熱交換器２２０を備えるとともに、各段の保温保冷庫２０１、２０２、２０３には、それぞれ室内熱交換器２３１、２３２、２３３が設けられるとともに、各室内熱交換器２３１、２３２、２３３に対して、それぞれ膨張弁２６１、２６２、２６３が設けられ、所定の流路には開閉弁ｋ１２〜ｋ１７が設けられている。
【０１２０】
各段の保温保冷庫２０１、２０２、２０３における室内熱交換器２３１、２３２、２３３の近傍にはファン（不図示）が配設され、ファンから室内熱交換器２３１、２３２、２３３に送風することにより、冷風を各保温保冷庫２０１、２０２、２０３に供給して、保冷（コールド）の状態にするようになっている。
【０１２１】
また、保温（ホット）の状態への切り換えは、圧縮機２１０から吐出された高温高圧の冷媒を中段及び下段の室内熱交換器２３２、２３３に直接供給することによりなされる。
【０１２２】
本実施形態の保温保冷システム２００では、上段保温保冷庫２０１は常時保冷（コールド）の状態とされ、中段及び下段の保温保冷庫２０２、２０３は、季節によりコールドとホットの状態が切り換えられるようになっている。
【０１２３】
（１）３段の保温保冷庫２０１、２０２、２０３を全て保冷（コールド）の状態（第１の保温保冷状態）とするには、図１３に示される如くに、直動式電磁弁８０に第１ポジションiをとらせて、第１ポートｐ１１を開き、第２及び第３ポートｐ１２、ｐ１３を閉じるとともに、開閉弁ｋ１２〜ｋ１５を閉じ、かつ、開閉弁ｋ１６、ｋ１７を開く。これにより、圧縮機２１０から吐出された高温高圧の冷媒が直動式電磁弁８０の主ポートｐ１０→弁室６０→第１ポートｐ１１→室外熱交換器２２０を介して各膨張弁２６１、２６２、２６３に導入されて減圧され、減圧された低圧の冷媒が、各室内熱交換器２３１、２３２、２３３に導入され、ここで庫内空気と熱交換（冷却）して蒸発し、低温低圧の冷媒が直接（室内熱交換器２３１の場合）あるいは開閉弁ｋ１６、ｋ１７を介して（室内熱交換器２３２、２３３の場合）圧縮機２１０の吸入側に戻される。
【０１２４】
（２）上段及び中段保温保冷庫２０１、２０２を保冷（コールド）、下段保温保冷庫２０３を保温（ホット）の状態（第２の保温保冷状態）とするには、図１４に示される如くに、直動式電磁弁８０に第２ポジションiiをとらせて、第２ポートｐ１２を開き、第１及び第３ポートｐ１１、ｐ１３を閉じるとともに、開閉弁ｋ１２、ｋ１４、ｋ１６を開き、開閉弁ｋ１３、ｋ１５、ｋ１７を閉じる。これにより、圧縮機２１０から吐出された高温高圧の冷媒が直動式電磁弁８０の主ポートｐ１０→弁室６０→第２ポートｐ１２→開閉弁ｋ１２を介して下段室内熱交換器２３３に導かれ、ここで下段の庫内空気と熱交換（加熱）して凝縮し、その後、開閉弁ｋ１４→室外熱交換器２２０→膨張弁２６１、２６２を介して上段及び中段の室内熱交換器２３１、２３２に導入され、ここで上中段の庫内空気と熱交換（冷却）して蒸発した後、圧縮機２１０の吸入側に戻される。
【０１２５】
（３）上段保温保冷庫２０１のみを保冷（コールド）、中段及び下段保温保冷庫２０２、２０３を保温（ホット）の状態（第３の保温保冷状態）とするには、図１５に示される如くに、直動式電磁弁８０に第３ポジションiiiをとらせて、第３ポートｐ１３を開き、第１及び第２ポートｐ１１、ｐ１２を閉じるとともに、開閉弁ｋ１３、ｋ１４、ｋ１５を開き、開閉弁ｋ１２、ｋ１６、ｋ１７を閉じる。これにより、圧縮機２１０から吐出された高温高圧の冷媒が直動式電磁弁８０の主ポートｐ１０→弁室６０→第３ポートｐ１３→開閉弁ｋ１３を介して下段室内熱交換器２３３と中段室内熱交換器２３２とに導かれ、ここで下段及び中段の庫内空気と熱交換（加熱）して凝縮し、その後、開閉弁ｋ１４、ｋ１５→室外熱交換器２２０→膨張弁２６１を介して上段の室内熱交換器２３１に導入され、ここで上段の庫内空気と熱交換（冷却）して蒸発した後、圧縮機２１０の吸入側に戻される。
【０１２６】
［第２実施形態の直動式電磁弁８０の効果］
本第２実施形態の直動式電磁弁８０においては、第１実施形態のものと同様に、第１プランジャ６１及び第２プランジャ６２が直列に配在され、電磁コイル５１への印加電圧に応じて、それぞれ異なる吸引位置と非吸引位置とをとるようにされ、それに伴い、第１弁体８１及び第２弁体８２もそれぞれ異なる前進位置と後退位置とをとるようにされ、第１弁体８１と第２弁体８２の位置の組み合わせにより、全体では合計で３ポジション（第１ポジションi、第２ポジションii、第３ポジションiii）間での切り換えが可能とされるので、本実施形態の直動式電磁弁８０を、例えば、３段の保温保冷庫を有する自販機の保温保冷システム２００において、各保温保冷庫２０１、２０２、２０３のコールド・ホットの状態を切り換えるための流路切換弁（四方切換弁）として使用でき、当該システムの流路構成や制御系をシンプルなものとすることができる等の効果を奏する。
【０１２７】
｛第３実施形態｝
［直動式電磁弁９５の構成］
次に、本発明に係る第３実施形態の直動式電磁弁９５を図１６〜図１９を参照しながら説明する。
【０１２８】
本例の直動式電磁弁９５は、上記第２実施形態の直動式電磁弁８０と同様、図１３〜図１５に示される如くの、自販機のヒートポンプ式保温保冷システム２００に流路切換弁（四方切換弁）として使用されるものであるので、ここでは、直動式電磁弁９５の構成のみを詳細に説明する。
【０１２９】
図１６〜図１８は、本発明に係る直動式電磁弁の第３実施形態の第１〜第３ポジションi〜iii状態を示す部分平面図付き拡大断面図である。
【０１３０】
図示第３実施形態の直動式電磁弁９５は、基本構成は、第２実施形態の直動式電磁弁８０と略同じであるので、直動式電磁弁８０の各部に対応する部分には共通の符号を付して重複説明を省略し、以下においては、相違点を重点的に説明する。
【０１３１】
本例の直動式電磁弁９５では、第２ばね５７が、第１ばね５６よりばね力（ばね常数）が小さいものが使用されており、また、第１プランジャ８３と第２プランジャ８４とが直接接触することを阻止する非磁性材料からなる接触阻止部材を無くして、第１プランジャ８３と第２プランジャ８４とが直接接触するようになっている。また、第２ばね５７のばね力が第１ばね５６のばね力より小さくされたため、第１プランジャ８３（具体的には、第１プランジャ８３に連結された第２弁体９２）の右方向（第２プランジャ８４に向かう方向）への移動を阻止するストッパ９４が、弁座９３の上面（弁シート面）に突設されている。
【０１３２】
そのため、第１プランジャ８３と第２プランジャ８４が共に非吸引位置［Ｘ２］、［Ｘ４］（図１６に示される第１ポジションi）にある通電ＯＦＦ時（初期状態、つまり、電磁コイル５１に通電されていないとき）に、電磁コイル５１に電圧Ｖ１を印加すると、図１７に示される如くに、第１プランジャ８３が第１ばね５６の付勢力により非吸引位置［Ｘ２］をとったままで、第２プランジャ８４は第２ばね５７の付勢力に抗して吸引子５５側に引き寄せられて第１プランジャ８３に接当係止された第１吸引位置［Ｘ５］をとる（第２ポジションii）。
【０１３３】
この状態において、電磁コイル５１に前記電圧Ｖ１より高い電圧Ｖ２を印加すると、図１８に示される如くに、第１プランジャ８３が第１ばね５６の付勢力に抗して吸引子５５に引き寄せられた吸引（吸着）位置［Ｘ１］をとるとともに、第２プランジャ８４も前記第１プランジャ８３に接触したままで前記第１吸引位置［Ｘ５］より吸引子５５側の第２吸引位置［Ｘ３］をとる（第３ポジションiii）。
【０１３４】
この状態において、電磁コイル５１への通電をＯＦＦにすると、永久磁石５３の磁力により、第１プランジャ８３と第２プランジャ８４は共に吸引位置［Ｘ１］と第２吸引位置［Ｘ３］で保持されたままとなる。
【０１３５】
さらに、上記のように、第１プランジャ８３と第２プランジャ８４が共に非吸引位置［Ｘ２］、［Ｘ４］（図１６に示される第１ポジションi）にある通電ＯＦＦ時に、電磁コイル５１に前記電圧Ｖ１より高い電圧Ｖ２を印加すると、図１８に示される如くに、第１プランジャ８３が第１ばね５６の付勢力に抗して吸引子５５に引き寄せられた吸引（吸着）位置［Ｘ１］をとるとともに、第２プランジャ８４が第２ばね５７の付勢力に抗して第１プランジャ８３側に引き寄せられて接当係止された第２吸引位置［Ｘ３］をとる（第３ポジションiii）。
【０１３６】
上記のように第１プランジャ８３と第２プランジャ８４が共に吸引位置［Ｘ１］と第２吸引位置［Ｘ３］にあるとき、電磁コイル５１に極性を反転させた電圧−Ｖ２を印加すると、永久磁石５３の磁力が相殺されて、吸引位置［Ｘ１］で保持されていた第１プランジャ８３が第１ばね５６の付勢力により非吸引位置［Ｘ２］に戻されるとともに、第２プランジャ８４も第２ばね５７の付勢力により第１プランジャ８４から遠ざけられて非吸引位置［Ｘ４］に戻される。
【０１３７】
また、本例の直動式電磁弁９５では、第１弁体９１と第２弁体９２がそれぞれ、第２プランジャ８４と第１プランジャ８３の移動に伴って弁座９３の弁シート面上で摺動するようになっている。すなわち、第１ポートｐ１１と第２ポートｐ１２と選択的に開閉する第１弁体９１が、第２プランジャ８４の移動に伴って、常に第２弁体９２より左側の前進位置［Ｙ２］と第１後退位置［Ｙ５］と第２後退位置［Ｙ１］とをとり、第２ポートｐ１２と第３ポートｐ１３とを選択的に開閉する第２弁体９２が、第１プランジャ８３の移動に伴って、常に第１弁体９１より右側の前進位置［Ｙ４］と後退位置［Ｙ３］とをとる。
【０１３８】
詳細には、第１プランジャ８３には、第２プランジャ８４にその左側半体８５Ａの大径部８５ｂが摺動自在に嵌挿された第１弁体ホルダ８５の左端小径部８５ａがかしめ等により連結固定され、該左側半体８５Ａの右端板状部８５ｃには、第１弁体ホルダ８５における右側半体８５Ｂの基端部が、第１弁体９１及び第２弁体９２を厚み方向（上下方向）に付勢する板ばね６８の基端部と共に、リベット等により連結固定されている。第１弁体ホルダ８５の右側半体８５Ｂの右端側には、幅方向内方に突き出る一対の係止部８９が設けられた細長い角丸矩形の開口８８が形成されている。開口８８における係止部８９より左側部分８８Ａは、第１弁体９１が左右方向及び厚み方向に摺動可能に嵌合せしめられている。この左側部分８８Ａの左右方向の長さは、第１弁体９１が第２プランジャ８４の移動に伴って前進位置［Ｙ２］と第１後退位置［Ｙ５］と第２後退位置［Ｙ１］との間を行き来する際に干渉しないような長さに設定されている。
【０１３９】
また、開口８８における係止部８９より右側部分８８Ｂは、第２弁体９２が上下方向に摺動可能に嵌合し、かつ、第１プランジャ８３が右方向に移動（吸引位置［Ｘ１］から非吸引位置［Ｘ２］へ移動）するときには、係止部８９が第２弁体９２を前進位置［Ｙ４］まで押動し、第１プランジャ８３が左方向に移動（非吸引位置［Ｘ２］から吸引位置［Ｘ１］へ移動）するときは、開口８８の右端が第２弁体９２を後退位置［Ｙ３］まで押動するように、当該開口８８の寸法形状が設定されている。ここでは、開口８８における係止部８９より右側部分８８Ｂの幅方向及び左右方向の長さは、第２弁体９２の大判半体の幅方向及び左右方向の長さと略同じとされている。
【０１４０】
一方、第２プランジャ８４には、第１弁体ホルダ８５の真下に配置されてその右端部が第１弁体ホルダ８５の右端部より左側に位置する第２弁体ホルダ８６の左端部が溶接等により連結固定され、該第２弁体ホルダ８６の右端近くには角丸矩形の、かつ前記開口８８と同幅の開口８７が形成されており、該開口８７には、第１弁体９１が厚み方向に摺動可能に嵌合せしめられている。なお、ここでは、開口８７の幅方向及び左右方向の長さは、第１弁体９１の幅方向及び左右方向の長さと略同じとされている。
【０１４１】
ここで、本実施形態では、第２プランジャ８４が非吸引位置［Ｘ４］をとるとき、第１弁体９１が前進位置［Ｙ２］をとり、第１弁体９１の前進位置［Ｙ２］は、該第１弁体９１が第２ポートｐ１２上に位置してそれを閉じる位置とされる。
【０１４２】
また、第１プランジャ８３が非吸引位置［Ｘ２］をとるとき、第２弁体９２が前進位置［Ｙ４］をとり、第２弁体９２の前進位置［Ｙ４］は、該第２弁体９２が第３ポートｐ１３上に位置してそれを閉じる位置とされる。
【０１４３】
また、第２プランジャ８４が第１吸引位置［Ｘ５］及び第２吸引位置［Ｘ３］をとるとき、第１弁体９１が第１後退位置［Ｙ５］及び第２後退位置［Ｙ１］をとり、第１弁体９１の第１後退位置［Ｙ５］及び第２後退位置［Ｙ１］は、該第１弁体９１が第１ポートｐ１１上に位置してそれを閉じる位置とされる。
【０１４４】
また、第１プランジャ８３が吸引位置［Ｘ１］をとるとき、第２弁体９２が後退位置［Ｙ３］をとり、第２弁体９２の後退位置［Ｙ３］は、該第２弁体９２が第２ポートｐ１２上に位置してそれを閉じる位置とされる。
【０１４５】
したがって、本実施形態の直動式電磁弁９５でも、上記第２実施形態の直動式電磁弁８０と同様、第１弁体９１と第２弁体９２の位置の組み合わせにより、合計で３ポジション（第１ポジションi、第２ポジションii、第３ポジションiii）間での切り換えが可能となっている。
【０１４６】
すなわち、第１ポジションiでは、第１弁体９１が前進位置［Ｙ２］、第２弁体９２が前進位置［Ｙ４］をとり、このときは、第１ポートｐ１１が開かれ、第２ポートｐ１２及び第３ポートｐ１３が閉じられ、
第２ポジションiiでは、第１弁体９１が第１後退位置［Ｙ５］、第２弁体９２が前進位置［Ｙ４］をとり、このときは、第２ポートｐ１２が開かれ、第１ポートｐ１１及び第３ポートｐ１３が閉じられ、
第３ポジションiiiでは、第１弁体９１が第２後退位置［Ｙ１］、第２弁体９２が後退位置［Ｙ３］をとり、このときは、第３ポートｐ１３が開かれ、第１ポートｐ１１及び第２ポートｐ１２が閉じられる。
【０１４７】
そして、第１ポジションiから第２ポジションiiへの切り換え及びその逆（ii→i）の切り換え、第２ポジションiiから第３ポジションiiiへの切り換え及びその逆（iii→ii）の切り換え、並びに、第１ポジションiから第３ポジションiiiへの切り換え及びその逆（iii→i）の切り換えが可能とされている。
【０１４８】
図１９は、直動式電磁弁９５の動作状態（Ａ、Ａ２、Ｂ、Ｃ、Ｃ１）毎の各部の動作及び位置を状態毎に示す一覧表である。本実施形態では、移行パターンは、第２実施形態の直動式電磁弁８０と同様、基本的には、初期の動作状態がＡ（第１ポジションi）となり、第１〜第３ポジションi〜iiiの３ポジション間で切り換えられるパターンとなる。例えば、第１ポジションi→第２ポジションii→第３ポジションiiiと切り換える場合の移行パターンは、Ａ→Ｂ→Ｃ→Ｃ１→Ａ２→Ａとなる。
【０１４９】
＜Ａ：第１ポジションi＞
本実施形態の直動式電磁弁９５においても、第２実施形態の直動式電磁弁８０と同様に、電磁コイル５１への通電ＯＦＦ時には、第１ばね５６及び第２ばね５７の付勢力により、第２プランジャ８４がストッパ６５に接当係止された非吸引位置［Ｘ４］をとるとともに、第１プランジャ８３が（第２弁体９２を介して）ストッパ９４に接当係止されて吸引子５５と第２プランジャ８４との中間の非吸引位置［Ｘ２］をとり、それに伴い、第１弁体９１が前進位置［Ｙ２］、第２弁体９２も前進位置［Ｙ４］をとる。これにより、第１ポジションiがとられ、第１ポートｐ１１が開き、第２ポートｐ１２及び第３ポートｐ１３が閉じられる。
【０１５０】
＜Ｂ：第１ポジションi→第２ポジションii＞
この状態において、電磁コイル５１に電圧Ｖ１を印加すると、第１プランジャ８３が第１ばね５６の付勢力により非吸引位置［Ｘ２］をとったままで、第２プランジャ８４は第２ばね５７の付勢力に抗して吸引子５５側に引き寄せられて第１プランジャ８３に接当係止された第１吸引位置［Ｘ５］をとり、それに伴い、第１弁体９１が第１後退位置［Ｙ５］、第２弁体９２が前進位置［Ｙ４］をとる。これにより、第１ポジションiから第２ポジションiiへ切り換えられ、第２ポートｐ１２が開き、第１ポートｐ１１及び第３ポートｐ１３が閉じられる。
【０１５１】
＜Ｃ、Ｃ１：第２ポジションii→第３ポジションiii＞
この状態において、電磁コイル５１に前記電圧Ｖ１より高い電圧Ｖ２を印加すると、第１プランジャ８３が第１ばね５６の付勢力に抗して吸引子５５に引き寄せられた吸引（吸着）位置［Ｘ１］をとるとともに、第２プランジャ８４も前記第１吸引位置［Ｘ５］より吸引子５５側の第２吸引位置［Ｘ３］をとり、それに伴い、第１弁体９１が第２後退位置［Ｙ１］、第２弁体９２も後退位置［Ｙ３］をとり、その後、通電をＯＦＦにしても、永久磁石５３の磁力により、第１プランジャ８３と第２プランジャ８４は共に吸引位置［Ｘ１］と第２吸引位置［Ｘ３］で保持されたままとされ、その前の状態から変化しない。これにより、第２ポジションiiから第３ポジションiiiへ切り換えられ、第３ポートｐ１３が開き、第１ポートｐ１１及び第２ポートｐ１２が閉じられる。
【０１５２】
さらに、上記のように、第１プランジャ８３と第２プランジャ８４が共に非吸引位置［Ｘ２］、［Ｘ４］（第１ポジションi）にある通電ＯＦＦ時に、電磁コイル５１に前記電圧Ｖ１より高い電圧Ｖ２を印加すると、第１プランジャ８３が第１ばね５６の付勢力に抗して吸引子５５に引き寄せられた吸引位置［Ｘ１］をとるとともに、第２プランジャ８４が第２ばね５７の付勢力に抗して第１プランジャ８３側に引き寄せられて接当係止された第２吸引位置［Ｘ３］をとる（第１ポジションi→第３ポジションiii）。
【０１５３】
＜Ａ２：第３ポジションiii→第１ポジションi＞
上記のように第１プランジャ８３と第２プランジャ８４が共に吸引位置［Ｘ１］と第２吸引位置［Ｘ３］にあるとき（第３ポジションiii）、電磁コイル５１に極性を反転させた電圧−Ｖ２を印加すると、永久磁石５３の磁力が相殺されて、吸引位置［Ｘ１］で保持されていた第１プランジャ８３が第１ばね５６の付勢力により非吸引位置［Ｘ２］に戻されるとともに、第２プランジャ８４も第２ばね５７の付勢力により第１プランジャ８３から遠ざけられて非吸引位置［Ｘ４］に戻され、その後、通電をＯＦＦにすると、第３ポジションiiiから第１ポジションiに戻る。
【０１５４】
［第３実施形態の直動式電磁弁９５の効果］
本第３実施形態の直動式電磁弁９５においては、第２実施形態のものと同様の効果を奏し得るとともに、非磁性材料からなる接触阻止部材が不要となるので、当該直動式電磁弁９５の構成を簡素化して製造コストを抑えることができる。
【符号の説明】
【０１５５】
１  五方切換弁
１０  五方弁本体
１１  シリンダ部
１２  主弁室
１４  主弁座
１５  主弁体
１６  除霜用弁座
１７  除霜用弁体
２１  第１ピストン
２２  第２ピストン
２３  第３ピストン
３１  第１作動室
３２  第２作動室
３３  第３作動室
５０  直動式電磁弁（第１実施形態）
５１  電磁コイル
５３  永久磁石
５５  吸引子
５６  第１ばね
５７  第２ばね
６０  弁室
６１  第１プランジャ
６２  第２プランジャ
６４  接触阻止部材
６５  ストッパ
７０  弁座
７１  第１弁体
７２  第２弁体
７５  第１弁体ホルダ
７６  第２弁体ホルダ
ｐ１〜ｐ５  第１〜第５ポート
ｐ６  主ポート
＃１〜＃６  第１〜第６細管
８０  直動式電磁弁（第２実施形態）
８１  第１弁体
８２  第２弁体
９０  弁座
ｐ１０  主ポート
ｐ１１〜ｐ１３  第１〜第３ポート
８３  第１プランジャ
８４  第２プランジャ
９１  第１弁体
９２  第２弁体
９３  弁座
９４  ストッパ
９５  直動式電磁弁（第３実施形態）
Ｄ  吐出側高圧ポート
Ｓ  吸入側低圧ポート
Ｃ  室外側入出ポート
Ｅ  室内側入出ポート
Ｊ  除霜用ポート
１００  ヒートポンプ式冷暖房システム
１１０  圧縮機
１２０  室外熱交換器
１３０  室内熱交換器
１６０  膨張弁
２００  ヒートポンプ式保温保冷システム
【図１】
0006607721.tif 000002
【図２】
0006607721.tif 000003
【図３】
0006607721.tif 000004
【図４】
0006607721.tif 000005
【図５】
0006607721.tif 000006
【図６】
0006607721.tif 000007
【図７】
0006607721.tif 000008
【図８】
0006607721.tif 000009
【図９】
0006607721.tif 000010
【図１０】
0006607721.tif 000011
【図１１】
0006607721.tif 000012
【図１２】
0006607721.tif 000013
【図１３】
0006607721.tif 000014
【図１４】
0006607721.tif 000015
【図１５】
0006607721.tif 000016
【図１６】
0006607721.tif 000017
【図１７】
0006607721.tif 000018
【図１８】
0006607721.tif 000019
【図１９】
0006607721.tif 000020